(57)【特許請求の範囲】
【請求項１】
システム情報送信方法であって、
第1のネットワークノードにより、第2のネットワークノードから少なくとも1つのタイプのシステム情報(SI)を受信するステップであり、前記少なくとも1つのタイプのSIは第1のSIを含む、ステップ(S310)と、
前記第1のネットワークノードにより、端末デバイスから要求メッセージを受信するステップであり、前記要求メッセージは前記第1のSIを要求するために使用され、前記要求メッセージは無線リソース制御(RRC)メッセージである、ステップ(S320)と、
前記第1のネットワークノードにより、前記RRCメッセージを前記第2のネットワークノードに送信するステップと、
前記第1のネットワークノードにより、前記第2のネットワークノードから命令情報を受信するステップであり、前記命令情報は、前記第1のSIを送信するように前記第1のネットワークノードに命令するために使用される、ステップと、
前記第1のネットワークノードにより、前記少なくとも1つのタイプのSI及び前記命令情報に基づいて前記第1のSIを決定するステップと、
前記第1のネットワークノードにより、前記第1のSIを前記端末デバイスに送信するステップ(S330)と
を含むことを特徴とする方法。
【請求項２】
当該方法は、
前記第1のネットワークノードにより、前記第2のネットワークノードから前記少なくとも1つのタイプのSIのそれぞれの送信パラメータを受信するステップであり、前記送信パラメータは、送信タイプ、送信時刻、送信周期及び送信回数のうち少なくとも1つを含む、ステップを更に含む請求項１に記載の方法。
【請求項３】
システム情報送信方法であって、
第2のネットワークノードにより、少なくとも1つのタイプのシステム情報(SI)を生成するステップであり、前記少なくとも1つのタイプのSIは第1のSIを含む、ステップと、
第1のネットワークノードが端末デバイスにより送信され且つ前記第1のSIを要求するために使用される要求メッセージを受信する前に、前記第2のネットワークノードにより、前記少なくとも1つのタイプのSIを前記第1のネットワークノードに送信するステップ(S310)と、
前記第2のネットワークノードにより、前記第1のネットワークノードから前記要求メッセージを受信するステップであり、前記要求メッセージは無線リソース制御(RRC)メッセージである、ステップと、
前記第2のネットワークノードにより、前記RRCメッセージに基づいて命令情報を前記第1のネットワークノードに送信するステップであり、前記命令情報は、前記第1のSIを送信するように前記第1のネットワークノードに命令する、ステップと
を含むことを特徴とする方法。
【請求項４】
当該方法は、
前記第2のネットワークノードにより、前記少なくとも1つのタイプのSIのそれぞれの送信パラメータを前記第1のネットワークノードに送信するステップであり、前記送信パラメータは、送信タイプ、送信時刻、送信周期及び送信回数のうち少なくとも1つを含む、ステップを更に含む、請求項３に記載の方法。
【請求項５】
システム情報送信装置であって、
第2のネットワークノードから少なくとも1つのタイプのシステム情報(SI)を受信し、前記少なくとも1つのタイプのSIは第1のSIを含み、端末デバイスから要求メッセージを受信し、前記要求メッセージは前記第1のSIを要求するために使用され、前記要求メッセージは無線リソース制御(RRC)メッセージである、ように構成された受信ユニット(710)と、
前記RRCメッセージを前記第2のネットワークノードに送信するように構成された送信ユニット(720)と
を含み、
前記受信ユニット(710)は、前記第2のネットワークノードから命令情報を受信するように更に構成され、前記命令情報は、前記第1のSIを送信するように前記当該装置に命令するために使用され、
当該装置は、前記少なくとも1つのタイプのSI及び前記命令情報に基づいて前記第1のSIを決定するように構成された処理ユニット(730)を含み、
前記送信ユニット(720)は、前記第1のSIを前記端末デバイスに送信するように更に構成されることを特徴とする装置。
【請求項６】
前記受信ユニット(710)は、前記第2のネットワークノードから前記少なくとも1つのタイプのSIのそれぞれの送信パラメータを受信するように更に構成され、前記送信パラメータは、送信タイプ、送信時刻、送信周期及び送信回数のうち少なくとも1つを含む、請求項５に記載の装置。
【請求項７】
システム情報送信装置であって、
少なくとも1つのタイプのシステム情報SIを生成するように構成された処理ユニットであり、前記少なくとも1つのタイプのSIは第1のSIを含む、処理ユニット(810)と、
第1のネットワークノードが端末デバイスにより送信され且つ前記第1のSIを要求するために使用される要求メッセージを受信する前に、前記処理ユニットにより生成された前記少なくとも1つのタイプのSIを前記第1のネットワークノードに送信するように構成された送信ユニット(820)と、
前記第1のネットワークノードから前記要求メッセージを受信するように構成された受信ユニット(830)であり、前記要求メッセージは無線リソース制御(RRC)メッセージである受信ユニット(830)と
を含み、
前記送信ユニット(820)は、前記RRCメッセージに基づいて命令情報を前記第1のネットワークノードに送信するように更に構成され、前記命令情報は、前記第1のSIを送信するように前記第1のネットワークノードに命令することを特徴とする装置。
【請求項８】
前記送信ユニット(820)は、前記少なくとも1つのタイプのSIのそれぞれの送信パラメータを前記第1のネットワークノードに送信するように更に構成され、前記送信パラメータは、送信タイプ、送信時刻、送信周期及び送信回数のうち少なくとも1つを含む、請求項７に記載の装置。
【請求項９】
コンピュータ読み取り可能記憶媒体であって、
当該コンピュータ読み取り可能記憶媒体はプログラムを記憶し、
プログラムがプロセッサにより実行されたとき、請求項１又は２に記載のステップが実行されることを特徴とする、コンピュータ読み取り可能記憶媒体。
【請求項１０】
コンピュータ読み取り可能記憶媒体であって、
当該コンピュータ読み取り可能記憶媒体はプログラムを記憶し、
プログラムがプロセッサにより実行されたとき、請求項３又は４に記載のステップが実行されることを特徴とする、コンピュータ読み取り可能記憶媒体。
【請求項１１】
請求項１又は２に記載のステップを実行するように構成されたネットワークノード。
【請求項１２】
請求項３又は４に記載のステップを実行するように構成されたネットワークノード。
【請求項１３】
請求項５又は６に記載の装置と、請求項７又は８に記載の装置とを含むことを特徴とする通信システム。
【発明の詳細な説明】
【技術分野】
【０００１】
［関連出願への相互参照］
この出願は、2017年8月18日に中国特許庁に出願された「SYSTEM  INFORMATION  TRANSMISSION  METHOD  AND  APPARATUS」という名称の中国特許出願第201710712818.X号に対する優先権を主張し、その全内容を参照により援用する。
【０００２】
［技術分野］
この出願は、通信分野に関し、より具体的には、通信分野におけるシステム情報送信方法及び装置に関する。
【背景技術】
【０００３】
通信システムでは、基地局は、集中ユニット(centralized  unit,  CU)及び分散ユニット(distributed  unit,  DU)を含んでもよい。具体的には、基地局の機能が分割され、基地局のいくつかの機能が1つのCUに配置され、残りの機能が複数のDUに配置され、複数のDUがCUを共有し、それにより、コストを低減してネットワーク拡張を容易にする。
【０００４】
基地局の機能は、プロトコルスタックのプロトコルレイヤの機能に基づいて、CU及びDUに配置されてもよい。1つの可能な方式は、無線リソース制御(radio  resource  control,  RRC)レイヤ及びパケットデータコンバージェンスプロトコル(packet  data  convergence  protocol,  PDCP)レイヤの機能をCUに、残りの無線リンク制御(radio  link  control,  RLC)レイヤ、媒体アクセス制御(media  access  control,  MAC)レイヤ及び物理レイヤ(physical  layer,  PHY)の機能をDUに配置することである。
【０００５】
従来技術では、基地局のセルにアクセスする前に、端末デバイスは、セルのカバレッジ内で正しく動作するために、基地局からセルのシステム情報(system  information,  SI)を要求することにより、セルがどのように構成されているかを習得する。
【０００６】
しかし、現在では、CU‐DU分割アーキテクチャにおけるシステム情報の方法を提供するための対応する解決策は存在しない。
【発明の概要】
【０００７】
この出願は、CU-DU分割アーキテクチャにおいてシステム情報を送信するためのシステム情報送信方法及び装置を提供する。
【０００８】
第1の態様によれば、この出願は、システム情報送信方法を提供する。当該方法は、
第1のネットワークノードにより、第2のネットワークノードから少なくとも1つのタイプのシステム情報SIを受信するステップであり、少なくとも1つのタイプのSIは第1のSIを含む、ステップと、
第1のネットワークノードにより、端末デバイスから要求メッセージを受信するステップであり、要求メッセージは第1のSIを要求するために使用される、ステップと、
第1のネットワークノードにより、要求メッセージ及び少なくとも1つのタイプのSIに基づいて、第1のSIを端末デバイスに送信するステップと
を含む。
【０００９】
端末デバイスは、1つの要求メッセージを使用することにより1つ以上のSIを要求してもよい点に留意すべきである。端末デバイスが1つのSIを要求するとき、1つのSIは、1つのタイプのSIとして理解されてもよい。端末デバイスが複数のSIを要求するとき、複数のSIのうちいずれか2つは、異なるタイプのSIでもよい。
【００１０】
この出願のこの実施形態における1つのタイプのSIは、SIにおける1つのタイプのSIB又は複数のSIBの組み合わせとして理解されてもよいことが更に理解されるべきである。これは、この出願のこの実施形態では限定されない。
【００１１】
この出願のこの実施形態において提供されるシステム情報送信方法によれば、第2のネットワークノードは、少なくとも1つのタイプのSIを第1のネットワークノードに予め送信し、少なくとも1つのタイプのSIは第1のSIを含む。したがって、端末デバイスにより送信され且つ第1のSIを要求するために使用される要求メッセージを受信したとき、第1のネットワークノードは、第1のSIを端末デバイスに直接送信してもよい。
【００１２】
言い換えると、端末デバイスの要求メッセージを受信したとき、第1のネットワークノードは、要求メッセージを第2のネットワークノードに送信する必要はない。対応して、第2のネットワークノードは、端末デバイスにより要求されたSIを第1のネットワークノードに送信する必要はなく、1つ以上のタイプのSIを第1のネットワークノードに予め送信し、それにより、第1のネットワークノードと第2のネットワークノードとの間のインタフェースメッセージのオーバーヘッドが低減できる。
【００１３】
可能な実現方式では、第1のネットワークノードにより、要求メッセージ及び少なくとも1つのタイプのSIに基づいて、第1のSIを端末デバイスに送信するステップは、第1のネットワークノードにより、要求メッセージ及び少なくとも1つのタイプのSIに基づいて、第1のSIを決定するステップと、第1のネットワークノードにより、第1のSIを端末デバイスに送信するステップとを含む。
【００１４】
CU-DU分割アーキテクチャにおいて、この出願のこの実施形態では、第1のネットワークノードはDUでもよく、第2のネットワークノードはCUでもよい。可能なプロトコルレイヤ配置方式では、RLCレイヤ、MACレイヤ及びPHYレイヤの機能が第1のネットワークノードに配置されてもよく、RRCレイヤ及びPDCPレイヤの機能が第2のネットワークノードに配置されてもよい。
【００１５】
要求メッセージがRRCメッセージであるとき、RRCレイヤの機能は第2のネットワークノードに配置されないので、第2のネットワークノードは、RRCメッセージで搬送される内容を正常に解析できない。
【００１６】
可能な実現方式では、要求メッセージはRRCメッセージであり、第1のネットワークノードにより、端末デバイスから要求メッセージを受信するステップであり、要求メッセージは第1のSIを要求するために使用される、ステップは、第1のネットワークノードにより、第1のチャネルを通じて端末デバイスから要求メッセージを受信するステップと、第1のネットワークノードにより、第1のチャネル及び予め設定されたマッピング関係に基づいて、要求メッセージが第1のSIを要求するために使用されることを決定するステップであり、マッピング関係は、第1のチャネルと第1のSIとの間の対応関係を含む、ステップとを含む。
【００１７】
任意選択で、マッピング関係は、少なくとも1つのチャネルと少なくとも1つのタイプのSIとの間の対応関係を含んでもよく、少なくとも1つのチャネルは第1のチャネルを含み、少なくとも1つのタイプのSIは第1のSIを含む。
【００１８】
任意選択で、1つのチャネルは1つのSIに対応してもよい。例えば、チャネル1はSI1に対応する。代替として、1つのチャネルは複数のSIに対応してもよい。例えば、チャネル2はSI2及びSI3に対応する。代替として、複数のチャネルは1つのSIに対応してもよい。例えば、チャネル3、チャネル4及びチャネル5の全てはSI4に対応する。これは、この出願のこの実施形態では限定されない。
【００１９】
少なくとも1つのチャネルは、例えば、論理チャネルでもよいことが理解されるべきである。具体的には、少なくとも1つの論理チャネルは、端末デバイスと第1のネットワークノードとの間の新たに設計された論理チャネルでもよく、既に使用されている他のSRB(例えば、SRB0、SRB1及びSRB2)とは区別され、端末デバイスと第1のネットワークノードとの間で、SIを要求するために使用されるRRCメッセージを送信するために具体的に使用される。
【００２０】
この出願のこの実施形態において提供されるシステム情報送信方法によれば、SIを要求するためのRRCメッセージを送信するために使用される論理チャネルは、端末デバイスと第1のネットワークノードとの間で新たに設計され、それにより、端末デバイスは、RRCメッセージがSIを要求するために使用されることを習得でき、より具体的には、端末デバイスは、RRCメッセージを解析する必要なく、RRCメッセージが第1のSIを要求するために使用されることを習得できる。
【００２１】
可能な実現方式では、要求メッセージはRRCメッセージであり、第1のネットワークノードにより、端末デバイスから要求メッセージを受信するステップであり、要求メッセージは第1のSIを要求するために使用される、ステップは、第1のネットワークノードにより、要求メッセージのMACレイヤのサブヘッダ又は特定のビット情報及び予め設定されたマッピング関係に基づいて、要求メッセージが第1のSIを要求するために使用されることを決定するステップであり、マッピング関係は、MACレイヤの異なるサブヘッダ又は特定のビット情報と1つ以上のタイプのSIとの間の対応関係を含む、ステップを含む。
【００２２】
可能な実現方式では、当該方法は、第1のネットワークノードにより、第2のネットワークノードから少なくとも1つのタイプのSIのそれぞれの送信パラメータを受信するステップであり、送信パラメータは、送信タイプ、送信時刻、送信周期及び送信回数のうち少なくとも1つを含む、ステップを更に含み、第1のネットワークノードにより、要求メッセージ及び少なくとも1つのタイプのSIに基づいて、第1のSIを端末デバイスに送信するステップは、第1のネットワークノードにより、要求メッセージ、少なくとも1つのタイプのSI及び少なくとも1つのタイプのSIのそれぞれの送信パラメータに基づいて、第1のSI及び第1のSIの送信パラメータを決定するステップと、第1のネットワークノードにより、第1のSIの送信パラメータに基づいて、第1のSIを端末デバイスに送信するステップとを含む。
【００２３】
この出願のこの実施形態において提供されるシステム情報送信方法によれば、第2のネットワークノードは、少なくとも1つのタイプのSIのそれぞれの送信パラメータを第1のネットワークノードに予め送信する。したがって、第1のSIを端末デバイスに送信するとき、第1のネットワークノードは、第1のSIの送信パラメータに基づいて、第1のSIを直接送信してもよい。
【００２４】
言い換えると、第1のSIを端末デバイスに送信するとき、第1のネットワークノードは、第2のネットワークノードから第1のSIの送信パラメータを要求する必要はなく、第2のネットワークノードは、第1のSIの送信パラメータを第1のネットワークノードに送信する必要はなく、1つ以上のタイプのSIの送信パラメータを第1のネットワークノードに1回予め送信し、それにより、第1のネットワークノードと第2のネットワークノードとの間のインタフェースメッセージのオーバーヘッドが低減できる。
【００２５】
可能な実現方式では、第1のネットワークノードにより、要求メッセージ及び少なくとも1つのタイプのSIに基づいて、第1のSIを端末デバイスに送信するステップは、第1のネットワークノードにより、要求メッセージを第2のネットワークノードに送信するステップと、第1のネットワークノードにより、第2のネットワークノードから命令情報を受信するステップと、第1のネットワークノードにより、少なくとも1つのタイプのSI及び命令情報に基づいて、第1のSIを決定し、第1のSIを端末デバイスに送信するステップとを含む。
【００２６】
この出願のこの実施形態において提供されるシステム情報送信方法によれば、RRCレイヤの機能が第2のネットワークノードに配置されるので、第1のネットワークノードは、要求メッセージを第2のネットワークノードに送信し、第2のネットワークノードは、要求メッセージを解析する。第2のネットワークノードは、少なくとも1つのタイプのSIを第1のネットワークノードに既に配信しており、したがって、解析を通じて要求メッセージが第1のSIを要求するために使用されることを習得した後に、第2のネットワークノードは、命令情報のみを第1のネットワークノードに送信し、第1のSIを送信するように第1のネットワークノードに命令する必要があり、言い換えると、第2のネットワークノードは、第1のSIを第1のネットワークノードに送信する必要はない。したがって、第1のネットワークノードと第2のネットワークノードとの間のインタフェースメッセージのオーバーヘッドもまた低減できる。
【００２７】
第2の態様によれば、この出願は、システム情報送信方法を提供する。当該方法は、
第2のネットワークノードにより、少なくとも1つのタイプのシステム情報SIを生成するステップであり、少なくとも1つのタイプのSIは第1のSIを含む、ステップと、
第1のネットワークノードが端末デバイスにより送信され且つ第1のSIを要求するために使用される要求メッセージを受信する前に、第2のネットワークノードにより、少なくとも1つのタイプのSIを第1のネットワークノードに送信するステップと
を含む。
【００２８】
この出願のこの実施形態において提供されるシステム情報送信方法によれば、第2のネットワークノードは、少なくとも1つのタイプのSIを第1のネットワークノードに予め送信し、少なくとも1つのタイプのSIは第1のSIを含む。したがって、端末デバイスにより送信され且つ第1のSIを要求するために使用される要求メッセージを受信したとき、第1のネットワークノードは、第1のSIを端末デバイスに直接送信してもよい。
【００２９】
言い換えると、端末デバイスの要求メッセージを受信したとき、第1のネットワークノードは、要求メッセージを第2のネットワークノードに送信する必要はない。対応して、第2のネットワークノードは、端末デバイスにより要求されたSIを第1のネットワークノードに送信する必要はなく、1つ以上のタイプのSIを第1のネットワークノードに予め送信し、それにより、第1のネットワークノードと第2のネットワークノードとの間のインタフェースメッセージのオーバーヘッドが低減できる。
【００３０】
可能な実現方式では、当該方法は、第2のネットワークノードにより、少なくとも1つのタイプのSIのそれぞれの送信パラメータを第1のネットワークノードに送信するステップであり、送信パラメータは、送信タイプ、送信時刻、送信周期及び送信回数のうち少なくとも1つを含む、ステップを更に含む。
【００３１】
可能な実現方式では、当該方法は、第2のネットワークノードにより、第1のネットワークノードにより送信された要求メッセージを受信するステップと、第2のネットワークノードにより、要求メッセージに基づいて、命令情報を第1のネットワークノードに送信するステップであり、命令情報は、第1のSIを送信するように第1のネットワークノードに命令するために使用される、ステップとを更に含む。
【００３２】
第3の態様によれば、この出願は、システム情報送信方法を提供する。当該方法は、
第1のネットワークノードにより、少なくとも1つの端末デバイスから複数の要求メッセージを受信するステップであり、複数の要求メッセージのそれぞれは、少なくとも1つのタイプのシステム情報SIを要求するために使用される、ステップと、
第1のネットワークノードにより、複数の要求メッセージに基づいて、第1のメッセージを第2のネットワークノードに送信するステップであり、第1のメッセージは、複数の要求メッセージのうち1つ以上を含む、ステップと、
第1のネットワークノードにより、第2のネットワークノードから要求された少なくとも1つのタイプのSIを受信するステップと、
第1のネットワークノードにより、要求された少なくとも1つのタイプのSIを少なくとも1つの端末デバイスに送信するステップと
を含む。
【００３３】
任意選択で、複数の要求メッセージは、1つの端末デバイス又は複数の端末デバイスにより送信されてもよい。これは、この出願のこの実施形態では限定されない。
【００３４】
複数の要求メッセージのそれぞれは、少なくとも1つのSIを要求するために使用されてもよく、少なくとも1つのSIは、異なるタイプのSIでもよいことが理解されるべきである。具体的には、それぞれの要求メッセージは、少なくとも1つのタイプのSIを要求するために使用されてもよい。複数の要求メッセージは、複数のSIを要求するために使用されてもよい。しかし、複数のSIは、1つ以上のタイプのSIでもよい。
【００３５】
第1のネットワークノードは、インタフェースメッセージを使用することにより第2のネットワークノードと通信することが理解されるべきである。したがって、端末デバイスから複数の要求メッセージを受信した後に、第1のネットワークノードは、要求メッセージをインタフェースメッセージ(すなわち、第1のメッセージ)にカプセル化し、インタフェースメッセージを第2のネットワークノードに送信してもよい。
【００３６】
この出願のこの実施形態において提供されるシステム情報送信方法によれば、第1のネットワークノードが複数の要求メッセージを受信した後に、第1のネットワークノードは、インタフェースメッセージ(すなわち、第1のメッセージ)を使用することにより、複数の要求メッセージのうち1つ以上を第2のネットワークノードに送信してもよい。言い換えると、第1のネットワークノードが複数の要求メッセージのうち1つを受信する毎に、第1のネットワークノードは、インタフェースメッセージを使用することにより、要求メッセージを第2のネットワークノードに送信する必要はなく、それにより、シグナリングオーバーヘッドが低減できる。
【００３７】
異なる端末デバイスにより送信される要求メッセージを使用することにより要求されるSIのタイプは、部分的に或いは完全に重複してもよいことが理解されるべきである。したがって、第2のネットワークノードにより第1のネットワークノードに送信される、要求された少なくとも1つのタイプのSIは、複数の要求メッセージを使用することにより要求されたSIの一部又は全部でもよい。これは、この出願のこの実施形態では限定されない。
【００３８】
具体的な実現プロセスにおいて、送信メカニズム、送信シナリオ等により制限されて、第2のネットワークノードは、複数の要求メッセージを使用することにより要求された全てのSIを第1のネットワークノードに送信できないことが更に理解されるべきである。
【００３９】
可能な実現方式では、第1のネットワークノードにより、複数の要求メッセージに基づいて、第1のメッセージを第2のネットワークノードに送信するステップは、第1のネットワークノードにより、複数の要求メッセージに基づいて、第1のメッセージを生成するステップと、第1のネットワークノードにより、第1のメッセージを第2のネットワークノードに送信するステップとを含む。
【００４０】
第1のネットワークノードは、インタフェースメッセージを使用することにより第2のネットワークノードと通信することが理解されるべきである。したがって、端末デバイスから複数の要求メッセージを受信した後に、第1のネットワークノードは、要求メッセージをインタフェースメッセージ(すなわち、第1のメッセージ)にカプセル化し、インタフェースメッセージを第2のネットワークノードに送信してもよい。
【００４１】
可能な実現方式では、同じSIが複数の要求メッセージのうち少なくとも2つを使用することにより要求されるとき、第1のメッセージは、少なくとも2つの要求メッセージのうち1つのみを含む。
【００４２】
この出願のこの実施形態において提供されるシステム情報送信方法によれば、第1のネットワークノードは、同じSIを要求するための少なくとも2つの要求メッセージに対して複合処理を実行してもよく、第1のメッセージは、少なくとも2つの要求メッセージのうち1つのみを含み、それにより、インタフェースメッセージのオーバーヘッドが更に低減できる。
【００４３】
可能な実現方式では、第2のネットワークノードにより、第1のメッセージに基づいて、要求された少なくとも1つのタイプのSIを第1のネットワークノードに送信するステップは、第2のネットワークノードにより、第1のメッセージに基づいて、要求された少なくとも1つのタイプのSIを生成するステップと、要求された少なくとも1つのタイプのSIを第1のネットワークノードに送信するステップとを含む。
【００４４】
可能な実現方式では、第2のネットワークノードにより、第1のメッセージに基づいて、要求された少なくとも1つのタイプのSIを第1のネットワークノードに送信するステップは、第2のネットワークノードにより、要求された少なくとも1つのタイプのSIに基づいて、第2のメッセージを生成するステップであり、第2のメッセージは、要求された少なくとも1つのタイプのSIを搬送するステップと、第2のメッセージを第1のネットワークノードに送信するステップとを含む。
【００４５】
この出願のこの実施形態において提供されるシステム情報送信方法によれば、第2のネットワークノードは、要求された少なくとも1つのタイプのSIをインタフェースメッセージ(すなわち、第2のメッセージ)にカプセル化し、インタフェースメッセージを第1のネットワークノードに送信し、それにより、インタフェースメッセージのオーバーヘッドが低減できる。
【００４６】
可能な実現方式では、当該方法は、第1のネットワークノードにより、第2のネットワークノードから少なくとも1つのタイプのSIのそれぞれの送信パラメータを受信するステップであり、送信パラメータは、送信タイプ、送信時刻、送信周期及び送信回数のうち少なくとも1つを含む、ステップと、第1のネットワークノードにより、要求された少なくとも1つのタイプのSIを少なくとも1つの端末デバイスに送信するステップは、第1のネットワークノードにより、それぞれのタイプのSIの送信パラメータに基づいて、要求された少なくとも1つのタイプのSIを少なくとも1つの端末デバイスに送信するステップを含む。
【００４７】
この出願のこの実施形態において提供されるシステム情報送信方法によれば、第1のネットワークノードは、第2のネットワークノードから少なくとも1つのタイプのSIのそれぞれの送信パラメータを予め取得する。したがって、第1のSIを端末デバイスに送信するとき、第1のネットワークノードは、第1のSIの送信パラメータに基づいて、第1のSIを直接送信してもよく、それにより、第1のネットワークノードと第2のネットワークノードとの間のインタフェースメッセージのオーバーヘッドが低減できる。
【００４８】
可能な実現方式では、第1のネットワークノードにより、第2のネットワークノードから要求された少なくとも1つのタイプのSIを受信するステップは、第1のネットワークノードにより、第2のネットワークノードから第2のメッセージを受信するステップであり、第2のメッセージは、要求された少なくとも1つのタイプのSIを搬送する、ステップを含む。
【００４９】
第4の態様によれば、この出願は、システム情報送信方法を提供する。当該方法は、
第2のネットワークノードにより、第1のネットワークノードから第1のメッセージを受信するステップであり、第1のメッセージは1つ以上の要求メッセージを含み、1つ以上の要求メッセージのそれぞれは、少なくとも1つのタイプのシステム情報SIを要求するために使用される、ステップと、
第2のネットワークノードにより、第1のメッセージに基づいて、要求された少なくとも1つのタイプのSIを第1のネットワークノードに送信するステップと
を含む。
【００５０】
この出願のこの実施形態において提供されるシステム情報送信方法によれば、第1のネットワークノードが複数の要求メッセージを受信した後に、第1のネットワークノードは、インタフェースメッセージ(すなわち、第1のメッセージ)を使用することにより、複数の要求メッセージのうち1つ以上を第2のネットワークノードに送信してもよい。言い換えると、第1のネットワークノードが複数の要求メッセージのうち1つを受信する毎に、第1のネットワークノードは、インタフェースメッセージを使用することにより、要求メッセージを第2のネットワークノードに送信する必要はなく、それにより、シグナリングオーバーヘッドが低減できる。
【００５１】
可能な実現方式では、第2のネットワークノードにより、第1のメッセージに基づいて、要求された少なくとも1つのタイプのSIを第1のネットワークノードに送信するステップは、第2のネットワークノードにより、第1のメッセージに基づいて、要求された少なくとも1つのタイプのSIを生成するステップと、第2のネットワークノードにより、要求された少なくとも1つのタイプのSIを第1のネットワークノードに送信するステップとを含む。
【００５２】
可能な実現方式では、第2のネットワークノードにより、要求された少なくとも1つのタイプのSIを第1のネットワークノードに送信するステップは、第2のネットワークノードにより、要求された少なくとも1つのタイプのSIに基づいて、第2のメッセージを生成するステップであり、第2のメッセージは、要求された少なくとも1つのタイプのSIを搬送する、ステップと、第2のネットワークノードにより、第2のメッセージを第1のネットワークノードに送信するステップとを含む。
【００５３】
可能な実現方式では、当該方法は、第2のネットワークノードにより、要求された少なくとも1つのタイプのSIのそれぞれの送信パラメータを第1のネットワークノードに送信するステップであり、送信パラメータは、送信タイプ、送信時刻、送信周期及び送信回数のうち少なくとも1つを含む、ステップを更に含む。
【００５４】
第5の態様によれば、この出願は、第1の態様又は第1の態様の可能な実現方式のうちいずれか1つによる方法を実行するように構成されたシステム情報送信装置を提供する。
【００５５】
第6の態様によれば、この出願は、第2の態様又は第2の態様の可能な実現方式のうちいずれか1つによる方法を実行するように構成されたシステム情報送信装置を提供する。
【００５６】
第7の態様によれば、この出願は、第3の態様又は第3の態様の可能な実現方式のうちいずれか1つによる方法を実行するように構成されたシステム情報送信装置を提供する。
【００５７】
第8の態様によれば、この出願は、第4の態様又は第4の態様の可能な実現方式のうちいずれか1つによる方法を実行するように構成されたシステム情報送信装置を提供する。
【００５８】
第9の態様によれば、この出願は、システム情報送信装置を提供する。当該装置は、メモリと、プロセッサと、トランシーバと、メモリに記憶され且つプロセッサ上で実行できるコンピュータプログラムとを含み、コンピュータプログラムを実行するとき、プロセッサは、第1の態様又は第1の態様の可能な実現方式のうちいずれか1つによる方法を実行する。
【００５９】
第10の態様によれば、この出願は、システム情報送信装置を提供する。当該装置は、メモリと、プロセッサと、トランシーバと、メモリに記憶され且つプロセッサ上で実行できるコンピュータプログラムとを含み、コンピュータプログラムを実行するとき、プロセッサは、第2の態様又は第2の態様の可能な実現方式のうちいずれか1つによる方法を実行する。
【００６０】
第11の態様によれば、この出願は、システム情報送信装置を提供する。当該装置は、メモリと、プロセッサと、トランシーバと、メモリに記憶され且つプロセッサ上で実行できるコンピュータプログラムとを含み、コンピュータプログラムを実行するとき、プロセッサは、第3の態様又は第3の態様の可能な実現方式のうちいずれか1つによる方法を実行する。
【００６１】
第12の態様によれば、この出願は、システム情報送信装置を提供する。当該装置は、メモリと、プロセッサと、トランシーバと、メモリに記憶され且つプロセッサ上で実行できるコンピュータプログラムとを含み、コンピュータプログラムを実行するとき、プロセッサは、第4の態様又は第4の態様の可能な実現方式のうちいずれか1つによる方法を実行する。
【００６２】
第13の態様によれば、この出願は、コンピュータプログラムを記憶するように構成されたコンピュータ読み取り可能媒体を提供する。コンピュータプログラムは、第1の態様又は第1の態様の可能な実現方式のうちいずれか1つによる方法を実行するために使用される命令を含む。
【００６３】
第14の態様によれば、この出願は、コンピュータプログラムを記憶するように構成されたコンピュータ読み取り可能媒体を提供する。コンピュータプログラムは、第2の態様又は第2の態様の可能な実現方式のうちいずれか1つによる方法を実行するために使用される命令を含む。
【００６４】
第15の態様によれば、この出願は、コンピュータプログラムを記憶するように構成されたコンピュータ読み取り可能媒体を提供する。コンピュータプログラムは、第3の態様又は第3の態様の可能な実現方式のうちいずれか1つによる方法を実行するために使用される命令を含む。
【００６５】
第16の態様によれば、この出願は、コンピュータプログラムを記憶するように構成されたコンピュータ読み取り可能媒体を提供する。コンピュータプログラムは、第4の態様又は第4の態様の可能な実現方式のうちいずれか1つによる方法を実行するために使用される命令を含む。
【００６６】
第17の態様によれば、この出願は、命令を含むコンピュータプログラムプロダクトを提供する。コンピュータプログラムプロダクトがコンピュータ上で実行するとき、コンピュータは、第1の態様又は第1の態様の可能な実現方式のうちいずれか1つによる方法を実行する。
【００６７】
第18の態様によれば、この出願は、命令を含むコンピュータプログラムプロダクトを提供する。コンピュータプログラムプロダクトがコンピュータ上で実行するとき、コンピュータは、第2の態様又は第2の態様の可能な実現方式のうちいずれか1つによる方法を実行する。
【００６８】
第19の態様によれば、この出願は、命令を含むコンピュータプログラムプロダクトを提供する。コンピュータプログラムプロダクトがコンピュータ上で実行するとき、コンピュータは、第3の態様又は第3の態様の可能な実現方式のうちいずれか1つによる方法を実行する。
【００６９】
第20の態様によれば、この出願は、命令を含むコンピュータプログラムプロダクトを提供する。コンピュータプログラムプロダクトがコンピュータ上で実行するとき、コンピュータは、第4の態様又は第4の態様の可能な実現方式のうちいずれか1つによる方法を実行する。
【００７０】
第21の態様によれば、この出願は、入力インタフェースと、出力インタフェースと、少なくとも1つのプロセッサと、メモリとを含むチップを提供する。入力インタフェース、出力インタフェース、プロセッサ及びメモリは、バスを通じて接続され、プロセッサは、メモリ内のコードを実行するように構成され、コードが実行されたとき、プロセッサは、第1の態様又は第1の態様の可能な実現方式のうちいずれか1つによる方法を実行するように構成される。
【００７１】
第22の態様によれば、この出願は、入力インタフェースと、出力インタフェースと、少なくとも1つのプロセッサと、メモリとを含むチップを提供する。入力インタフェース、出力インタフェース、プロセッサ及びメモリは、バスを通じて接続され、プロセッサは、メモリ内のコードを実行するように構成され、コードが実行されたとき、プロセッサは、第2の態様又は第2の態様の可能な実現方式のうちいずれか1つによる方法を実行するように構成される。
【００７２】
第23の態様によれば、この出願は、入力インタフェースと、出力インタフェースと、少なくとも1つのプロセッサと、メモリとを含むチップを提供する。入力インタフェース、出力インタフェース、プロセッサ及びメモリは、バスを通じて接続され、プロセッサは、メモリ内のコードを実行するように構成され、コードが実行されたとき、プロセッサは、第3の態様又は第3の態様の可能な実現方式のうちいずれか1つによる方法を実行するように構成される。
【００７３】
第24の態様によれば、この出願は、入力インタフェースと、出力インタフェースと、少なくとも1つのプロセッサと、メモリとを含むチップを提供する。入力インタフェース、出力インタフェース、プロセッサ及びメモリは、バスを通じて接続され、プロセッサは、メモリ内のコードを実行するように構成され、コードが実行されたとき、プロセッサは、第4の態様又は第4の態様の可能な実現方式のうちいずれか1つによる方法を実行するように構成される。
【図面の簡単な説明】
【００７４】
【図１】この出願の実施形態による技術的解決策の適用シナリオの概略図である。
【図２】この出願の実施形態による他の技術的解決策の適用シナリオの概略図である。
【図３】この出願の実施形態によるシステム情報送信方法の概略フローチャートである。
【図４】この出願の実施形態による他のシステム情報送信方法の概略フローチャートである。
【図５】この出願の実施形態による更に他のシステム情報送信方法の概略フローチャートである。
【図６】この出願の実施形態による更に他のシステム情報送信方法の概略フローチャートである。
【図７】この出願の実施形態によるシステム情報送信装置の概略ブロック図である。
【図８】この出願の実施形態による他のシステム情報送信装置の概略ブロック図である。
【図９】この出願の実施形態による更に他のシステム情報送信装置の概略ブロック図である。
【図１０】この出願の実施形態による更に他のシステム情報送信装置の概略ブロック図である。
【図１１】この出願の実施形態による更に他のシステム情報送信装置の概略ブロック図である。
【図１２】この出願の実施形態による更に他のシステム情報送信装置の概略ブロック図である。
【図１３】この出願の実施形態による更に他のシステム情報送信装置の概略ブロック図である。
【図１４】この出願の実施形態による更に他のシステム情報送信装置の概略ブロック図である。
【発明を実施するための形態】
【００７５】
以下に、添付の図面を参照して、この出願の技術的解決策について説明する。
【００７６】
図１は、この出願の実施形態による技術的解決策の適用シナリオの概略図である。図１に示すように、ネットワークデバイス100は、プロトコルレイヤ機能に基づいて、少なくとも1つの第1のネットワークノード110と第2のネットワークノード120とに分割されてもよい。
【００７７】
任意選択で、複数の第1のネットワークノードは、1つの第2のネットワークノードを共有し、それにより、コストが低減でき、ネットワーク拡張が容易にできる。
【００７８】
任意選択で、第1のネットワークノード110は、CU-DU分割クラウド無線アクセスネットワーク(cloud  radio  access  network,  CRAN)アーキテクチャ内のDUでもよく、第2のネットワークノード120は、当該アーキテクチャ内のCUでもよい。これは、この出願のこの実施形態では限定されない。
【００７９】
任意選択で、異なるプロトコルレイヤが、第1のネットワークノード110及び第2のネットワークノード120に配置されてもよい。可能な実現方式では、少なくともRRCレイヤが第2のネットワークノードに配置され、少なくともMACレイヤ及びPHYレイヤが第1のネットワークノードに配置される。
【００８０】
例えば、第1のネットワークノードは、MACレイヤ及びPHYレイヤの機能を含んでもよく、第2のネットワークノードは、RRCレイヤ、サービスデータ適応プロトコル(service  data  adaptation  protocol,  SDAP)レイヤ、PDCPレイヤ及びRLCレイヤの機能を含んでもよく、或いは、第2のネットワークノードは、RRCレイヤ、PDCPレイヤ及びRLCレイヤの機能を含んでもよい。
【００８１】
他の例では、第1のネットワークノードは、RLCレイヤ、MACレイヤ及びPHYレイヤの機能を含んでもよく、第2のネットワークノードは、RRCレイヤ、SDAPレイヤ及びPDCPレイヤの機能を含んでもよく、或いは、第2のネットワークノードは、RRCレイヤ及びPDCPレイヤの機能を含んでもよい。
【００８２】
第1のネットワークノード及び第2のネットワークノードにプロトコルレイヤを配置する方式の上記の列挙は、単に説明のための例にすぎず、この出願に対する如何なる限定としても解釈されるべきではないことが理解されるべきである。第1のネットワークノード又は第2のネットワークノードに配置されるプロトコルレイヤは、代替として、既存のプロトコル(例えば、ロングタームエボリューション(long  term  evolution,  LTE)プロトコル)又は将来のプロトコルで定義された他のプロトコルレイヤでもよい。これは、この出願のこの実施形態では限定されない。
【００８３】
任意選択で、プロトコルレイヤは、他の方式で第1のネットワークノード及び第2のネットワークノードに配置されてもよい。これは、この出願のこの実施形態では限定されない。
【００８４】
この出願のこの実施形態において言及されるプロトコルレイヤの機能は変化してもよいことが理解されるべきである。これは、この出願のこの実施形態では限定されない。
【００８５】
任意選択で、第1のネットワークノード110及び第2のネットワークノード120は、物理的又は論理的に分割された2つの機能モジュールでもよく、或いは、2つの独立したネットワークエレメントでもよい。これは、この出願のこの実施形態では限定されない。
【００８６】
任意選択で、この出願のこの実施形態では、ネットワークデバイス100の通信プロトコルスタック内のプロトコルレイヤは、第1のネットワークノード及び第2のネットワークノードに別々に配置されてもよい。
【００８７】
図２は、この出願の実施形態による技術的解決策の他の適用シナリオの概略図である。図２に示すように、RRCレイヤはCUに配置され、MACレイヤ及びPHYレイヤはDUに配置される。アップリンクRRCメッセージについては、DUは、エアインタフェースを通じて、端末デバイスにより送信されたRRCメッセージを受信し、RRCメッセージを処理し、次いで、CUとDUとの間のインタフェースを通じて、処理されたRRCメッセージをCUに送信する。ダウンリンクRRCメッセージについては、RRCメッセージを生成した後に、CUは、CUとDUとの間のインタフェースを通じてRRCメッセージをDUに送信し、DUは、RRCメッセージを処理し、エアインタフェースを通じて、処理されたRRCメッセージを端末デバイスに送信する。
【００８８】
この出願の技術的解決策は、グローバル・システム・フォー・モバイル・コミュニケーションズ(global  system  of  mobile  communication,  GSM)システム、符号分割多元接続(code  division  multiple  access,  CDMA)システム、広帯域符号分割多元接続(wideband  code  division  multiple  access,  WCDMA)システム、汎用パケット無線サービス(general  packet  radio  service,  GPRS)、LTEシステム、LTE周波数分割複信(frequency  division  duplex,  FDD)システム、LTE時分割複信(time  division  duplex,  TDD)、ユニバーサル移動通信システム(universal  mobile  telecommunication  system,  UMTS)、ワールドワイド・インターオペラビリティ・フォー・マイクロウェーブ・アクセス(worldwide  interoperability  for  microwave  access,  WiMAX)通信システム、無線ローカルエリアネットワーク(wireless  local  area  network,  WLAN)又は将来の第5世代無線通信システム(the  fifth  Generation,  5G)のような様々な通信システムに適用されてもよいことが理解されるべきである。
【００８９】
具体的には、第3世代移動通信技術(3rd-generation,  3G)のUMTSシステムでは、無線ネットワーク制御ノード及び基地局が分割されるシナリオが存在する。LTEシステムでは、ベースバンドモジュール及び無線周波数モジュールが分割されるシナリオ、すなわち、遠隔無線周波数シナリオと、2つの異なるネットワークの間の相互接続が必要とされるデータセンタ(data  center,  DC)シナリオと、マクロ基地局とマイクロ基地局との間の接続のためのインタフェースが存在するマクロ及びマイクロ基地局のシナリオと、LTE+Wi-Fiアグリゲーション(LTE+wifi  aggregation,  LWA)シナリオとが存在する。5Gシステムでは、制御ノードが全てのセルに接続されるか、或いは、全ての送信ノードがセルに接続される様々な非セル(non-cell)シナリオ(端末が様々なセルの間で自由且つランダムにハンドオーバされてもよく、セルの間に明確な境界が存在しない)と、BBU分割シナリオであるCRANシナリオと、BBUのいくつかの機能が中央に配置されて仮想化され、残りの機能が別々に配置され、2つの部分が物理的に別々に配置され得るCRAN仮想化シナリオとが存在する。異なるシステム/標準の共存シナリオは、この出願の適用範囲内であることが理解されるべきである。
【００９０】
任意選択で、この出願のこの実施形態におけるネットワークデバイスは、特定の地理的エリアのための通信カバレッジを提供してもよく、また、当該カバレッジに位置するUEと通信してもよい。ネットワークデバイスは、GSMシステム又はCDMAシステムにおける基地送受信局(base  transceiver  station,  BTS)でもよく、或いは、WCDMAシステムにおけるノードB(nodeB,  NB)でもよく、或いは、LTEシステムにおける進化型ノードB(evolved  node  B、eNB又はeNodeB)でもよく、或いは、クラウド無線アクセスネットワーク(cloud  radio  access  network,  CRAN)における無線コントローラでもよい。ネットワークデバイスは、代替として、コアネットワーク、中継局、アクセスポイント、車載デバイス、ウェアラブルデバイス、将来の5Gネットワークにおけるネットワーク側デバイス、将来の進化型公衆陸上移動ネットワーク(public  land  mobile  network,  PLMN)におけるネットワークデバイス等でもよい。
【００９１】
任意選択で、この出願のこの実施形態における端末デバイスは、移動可能でもよく或いは固定されてもよい。端末デバイスは、アクセス端末、ユーザ機器(user  equipment,  UE)、加入者ユニット、加入者局、移動局、移動コンソール、遠隔局、遠隔端末、移動デバイス、ユーザ端末、端末、無線通信デバイス、ユーザエージェント、ユーザ装置等でもよい。アクセス端末は、セルラ電話、コードレス電話、セッションイニシエーションプロトコル(session  initiation  protocol,  SIP)電話、ワイヤレスローカルループ(wireless  local  loop,  WLL)局、パーソナルデジタルアシスタント(personal  digital  assistant,  PDA)、無線通信機能を有するハンドヘルドデバイス又は計算デバイス、ワイヤレスモデムに接続された他の処理デバイス、車載デバイス、ウェアラブルデバイス、将来の5Gネットワークにおける端末デバイス、更なる進化型PLMNにおける端末デバイス等でもよい。
【００９２】
従来技術では、SIは、ネットワークデバイス内のRRCレイヤにより生成される。ネットワークデバイスは、端末デバイスから要求メッセージを受信してもよく、要求メッセージは第1のSIを要求するために使用される。ネットワークデバイスは、要求メッセージに基づいて、第1のSIを端末デバイスに送信する。
【００９３】
しかし、CU‐DU分割アーキテクチャのためのシステム情報の方法は存在しない。
【００９４】
図３は、この出願の実施形態によるシステム情報送信方法300の概略フローチャートである。当該方法300は、図１又は図２に示す適用シナリオに適用されてもよい。しかし、この出願のこの実施形態は、これに限定されない。
【００９５】
S310:第2のネットワークノードは、少なくとも1つのタイプのSIを第1のネットワークノードに送信し、第1のタイプのSIは第1のSIを含む。対応して、第1のネットワークノードは、第2のネットワークノードから少なくとも1つのタイプのSIを受信する。
【００９６】
端末デバイスは、1つの要求メッセージを使用することにより1つ以上のSIを要求してもよい点に留意すべきである。端末デバイスが1つのSIを要求するとき、1つのSIは、1つのタイプのSIとして理解されてもよい。端末デバイスが複数のSIを要求するとき、複数のSIのうちいずれか2つは、異なるタイプのSIでもよい。
【００９７】
システム情報SIは、システム情報ブロック(system  information  block,  SIB)を使用することにより構成され、SIは、マスタ情報ブロック(Master  system  information,  MIB)及び少なくとも1つのタイプのSIBを含んでもよく、それぞれのタイプのSIBは、機能に関連する一連のパラメータセットを含むことが理解されるべきである。
【００９８】
例えば、SIB1は、セルがセル選択に適するか否かを決定するために使用されるパラメータと、他のSIB時間領域スケジューリング情報とを含み、SIB2は、共通又は共有チャネル情報等を含み、SIB3は、モビリティ関連パラメータ、例えば、隣接セル再選択に使用されるいくつかのパラメータ等を含む。
【００９９】
この出願のこの実施形態における1つのタイプのSIは、SIにおける1つのタイプのSIB又は複数のSIBの組み合わせとして理解されてもよいことが更に理解されるべきである。これは、この出願のこの実施形態では限定されない。
【０１００】
S320:端末デバイスは、要求メッセージを第1のネットワークノードに送信し、要求メッセージは第1のSIを要求するために使用される。対応して、第1のネットワークノードは、端末デバイスから要求メッセージを受信する。
【０１０１】
任意選択で、第1のSIは、端末デバイスにより要求されたSIとして理解されてもよい。具体的には、第1のSIは、1つ以上のタイプのSIを含んでもよい。これは、この出願のこの実施形態では限定されない。
【０１０２】
S330:第1のネットワークノードは、要求メッセージ及び少なくとも1つのタイプのSIに基づいて、第1のSIを端末デバイスに送信する。対応して、端末デバイスは、第1のネットワークノードから第1のSIを受信する。
【０１０３】
任意選択で、第1のネットワークノードは、要求メッセージ及び少なくとも1つのタイプのSIに基づいて、第1のSIを決定し、第1のSIを端末デバイスに送信してもよい。
【０１０４】
この出願のこの実施形態において提供されるシステム情報送信方法によれば、第2のネットワークノードは、少なくとも1つのタイプのSIを第1のネットワークノードに予め送信し、少なくとも1つのタイプのSIは第1のSIを含む。したがって、端末デバイスにより送信され且つ第1のSIを要求するために使用される要求メッセージを受信したとき、第1のネットワークノードは、第1のSIを端末デバイスに直接送信してもよい。
【０１０５】
言い換えると、端末デバイスの要求メッセージを受信したとき、第1のネットワークノードは、要求メッセージを第2のネットワークノードに送信する必要はない。対応して、第2のネットワークノードは、端末デバイスにより要求されたSIを第1のネットワークノードに送信する必要はなく、1つ以上のタイプのSIを第1のネットワークノードに予め送信し、それにより、第1のネットワークノードと第2のネットワークノードとの間のインタフェースメッセージのオーバーヘッドが低減できる。
【０１０６】
任意選択で、少なくとも1つのタイプのSIが第1のSIを含まない場合、第1のネットワークノードは、第2のネットワークノードから第1のSIを要求してもよく、或いは、第1のネットワークノードは、端末デバイスにより要求された第1のSIを端末デバイスにフィードバックしない。これは、この出願のこの実施形態では限定されない。
【０１０７】
任意選択で、S330の前に、第2のネットワークノードは、少なくとも1つのタイプのSIのそれぞれの送信パラメータを第1のネットワークノードに送信してもよい。対応して、第1のネットワークノードは、第2のネットワークノードから少なくとも1つのタイプのSIのそれぞれの送信パラメータを受信する。任意選択で、S330は、第1のネットワークノードが、要求メッセージ、少なくとも1つのタイプのSI及び少なくとも1つのタイプのSIのそれぞれの送信パラメータに基づいて、第1のSI及び第1のSIの送信パラメータを決定し、第1のネットワークノードが、第1のSIの送信パラメータに基づいて、第1のSIを端末デバイスに送信することでもよい。
【０１０８】
任意選択で、送信パラメータは、送信タイプ、送信時刻、送信周期及び送信回数のうち少なくとも1つを含む。これは、この出願のこの実施形態では限定されない。
【０１０９】
この出願のこの実施形態では、SIの送信タイプは、以下の2つのタイプを含んでもよいことが理解されるべきである。
【０１１０】
第1のタイプ:最小(minimum)タイプのSIである。minimumタイプのSIは、端末デバイスにより要求される必要はなく且つネットワーク側デバイスにより周期的に送信されるSIである。minimumタイプのSIは、端末デバイスによりセルに在圏してアクセスすることに関連する。
【０１１１】
第2のタイプ:オンデマンド(on  demand)タイプのSIである。on  demandタイプのSIは、SIが端末デバイスにより要求されたときにのみ送信される。通常では、on  demandタイプのSIは、セルに在圏してアクセスすることに関連するSI以外のSI、例えば、隣接セルを測定するために必要なパラメータに関連するSI、マルチメディア・ブロードキャスト・マルチキャスト機能(multimedia  broadcast  multicast  service,  MBMS)サービスを受信するために必要なパラメータに関連するSI、単一セル・ポイント・ツー・マルチポイント送信(single-cell  point-to-multipoint,  SCPTM)サービスを受信するために必要なパラメータに関連するSI、及び(machine-type  communication,  MTC)サービスを受信するために必要なパラメータに関連するSIである。
【０１１２】
この出願のこの実施形態において言及される1つのタイプのSIは、第2のタイプのSIのサブセットでもよく、具体的には、第2のタイプのSIは、複数のタイプのSIを更に含み、端末デバイスは、要求メッセージを使用することにより、複数のタイプのSIのうち1つ以上を要求することが理解されるべきである。
【０１１３】
任意選択で、SIの送信時刻は、サブフレーム番号がNであるサブフレーム、又は基準としてサブフレーム番号がNであるサブフレームを使用するウインドウ時間内のサブフレーム、例えば、N〜N+ウインドウサイズ(window  size)内のサブフレーム、又はN-window  size〜N内のサブフレーム、又はNを含むwindow  size内のサブフレームでもよく、Nは正の整数である。第1のネットワークノードは、実際の負荷状態に基づいて、ウインドウ時間内の少なくとも1つのサブフレーム内で第1のSIを送信することを選択してもよく、具体的には、UEは、ウインドウ時間内で、第1のネットワークノードにより送信された第1のSIを検出する必要がある。
【０１１４】
任意選択の実施形態では、送信パラメータは、送信タイプ及び送信時刻を含む。第1のSIの送信タイプがon  demandタイプであり、第1のSIの送信時刻がサブフレーム番号Mであるサブフレームであり、Mが正の整数であるとき、要求メッセージを受信した後に、第1のネットワークノードは、サブフレーム番号がMであるサブフレーム内で第1のSIを端末デバイスに送信する。
【０１１５】
任意選択で、少なくとも1つのタイプのSIは、1つ以上のタイプのSIでもよい。少なくとも1つのタイプのSIが複数のタイプのSIであるとき、複数のタイプのSIは、第2のSIを含んでもよく、第2のSIの送信タイプは、minimumタイプである。第2のネットワークノードは、第2のSIの送信パラメータを第1のネットワークノードに送信してもよく、第1のネットワークノードは、第2のSIの送信パラメータに基づいて、第2のSIを端末デバイスに送信してもよい。
【０１１６】
他の任意選択の実施形態では、送信パラメータは、送信タイプ、送信時刻及び送信周期を含んでもよい。第2のSIの送信タイプがminimumタイプであり、第2のSIの送信回数が10であり、第2のSIの送信時刻がサブフレーム番号がQであるサブフレームであり、第2のSIの送信周期がP個のサブフレームであり、P及びQが正の整数であるとき、第1のネットワークノードは、サブフレーム番号がQ、Q+P、Q+2P、…及びQ+9Pであるサブフレーム内で第2のSIを端末デバイスに送信する。
【０１１７】
この出願のこの実施形態において提供されるシステム情報送信方法によれば、第2のネットワークノードは、少なくとも1つのタイプのSIのそれぞれの送信パラメータを第1のネットワークノードに予め送信する。したがって、第1のSIを端末デバイスに送信するとき、第1のネットワークノードは、第1のSIの送信パラメータに基づいて、第1のSIを直接送信してもよい。
【０１１８】
言い換えると、第1のSIを端末デバイスに送信するとき、第1のネットワークノードは、第2のネットワークノードから第1のSIの送信パラメータを要求する必要はなく、第2のネットワークノードは、第1のSIの送信パラメータを第1のネットワークノードに送信する必要はなく、1つ以上のタイプのSIの送信パラメータを第1のネットワークノードに1回予め送信し、それにより、第1のネットワークノードと第2のネットワークノードとの間のインタフェースメッセージのオーバーヘッドが低減できる。
【０１１９】
任意選択で、CU-DU分割アーキテクチャにおいて、この出願のこの実施形態では、第1のネットワークノードはDUでもよく、第2のネットワークノードはCUでもよい。可能なプロトコルレイヤ配置方式では、RLCレイヤ、MACレイヤ及びPHYレイヤの機能が第1のネットワークノードに配置されてもよく、RRCレイヤ及びPDCPレイヤの機能が第2のネットワークノードに配置されてもよい。
【０１２０】
任意選択で、要求メッセージはRRCメッセージ又はランダムアクセスプリアンブル(random  access  preamble,  RAP)でもよい。
【０１２１】
要求メッセージが第1のRAPであるとき、第1のネットワークノードは、第1のRAP及び予め設定された第1のマッピング関係に基づいて、要求メッセージが第1のSIを要求するために使用されることを決定してもよい。
【０１２２】
任意選択で、この出願のこの実施形態における第1のマッピング関係は、少なくとも1つのRAPと少なくとも1つのタイプのSIとの間の対応関係を含んでもよい。少なくとも1つのRAPは第1のRAPを含み、少なくとも1つのタイプのSIは第1のSIを含み、第1のRAPは第1のSIに対応する。
【０１２３】
任意選択で、1つのRAPは1つのSIに対応してもよい。例えば、RAP1はSI1に対応する。代替として、1つのRAPは複数のSIに対応してもよい。例えば、RAP2はSI2及びSI3に対応する。代替として、複数のRAPは1つのSIに対応してもよい。例えば、RAP3、RAP4及びRAP5の全てはSI4に対応する。これは、この出願のこの実施形態では限定されない。
【０１２４】
要求メッセージがRRCメッセージであるとき、RRCレイヤの機能は第2のネットワークノードに配置されないので、第2のネットワークノードは、RRCメッセージで搬送される内容を正常に解析できない。
【０１２５】
上記の問題について、この出願のこの実施形態は、以下の2つの可能な解決策を提供する。
【０１２６】
方式1:
【０１２７】
S310において、端末デバイスは、第1のチャネルを通じて要求メッセージを第1のネットワークノードに送信してもよい。対応して、第1のネットワークノードは、第1のチャネルを通じて端末デバイスから要求メッセージを受信し、第1のチャネル及び予め設定された第2のマッピング関係に基づいて、要求メッセージが第1のSIを要求するために使用されることを決定する。
【０１２８】
任意選択で、第2のマッピング関係は、少なくとも1つのチャネルと少なくとも1つのタイプのSIとの間の対応関係を含んでもよく、少なくとも1つのチャネルは第1のチャネルを含み、少なくとも1つのタイプのSIは第1のSIを含む。
【０１２９】
任意選択で、1つのチャネルは1つのSIに対応してもよい。例えば、チャネル1はSI1に対応する。代替として、1つのチャネルは複数のSIに対応してもよい。例えば、チャネル2はSI2及びSI3に対応する。代替として、複数のチャネルは1つのSIに対応してもよい。例えば、チャネル3、チャネル4及びチャネル5の全てはSI4に対応する。これは、この出願のこの実施形態では限定されない。
【０１３０】
少なくとも1つのチャネルは、例えば、論理チャネルでもよいことが理解されるべきである。具体的には、少なくとも1つの論理チャネルは、端末デバイスと第1のネットワークノードとの間の新たに設計された論理チャネルでもよく、既に使用されている他のSRB(例えば、SRB0、SRB1及びSRB2)とは区別され、端末デバイスと第1のネットワークノードとの間で、SIを要求するために使用されるRRCメッセージを送信するために具体的に使用される。
【０１３１】
この出願のこの実施形態において提供されるシステム情報送信方法によれば、SIを要求するためのRRCメッセージを送信するために使用される論理チャネルは、端末デバイスと第1のネットワークノードとの間で新たに設計され、それにより、端末デバイスは、RRCメッセージがSIを要求するために使用されることを習得でき、より具体的には、端末デバイスは、RRCメッセージを解析する必要なく、RRCメッセージが第1のSIを要求するために使用されることを習得できる。
【０１３２】
任意選択で、第1のネットワークノードは、要求メッセージのMACレイヤのサブヘッダ又は特定のビット情報の異なる値に基づいて、要求メッセージのMACレイヤのサブヘッダ又は特定のビット情報に対応する1つ以上のタイプのSIを更に決定してもよい。具体的な方法は、方式1と同様であり、詳細は、この出願のこの実施形態では説明しない。
【０１３３】
方式2:
【０１３４】
S330において、端末デバイスから要求メッセージを受信した後に、第1のネットワークノードは、要求メッセージを第2のネットワークノードに送信してもよい。対応して、第2のネットワークノードは、要求メッセージを受信し、要求メッセージに基づいて命令情報を第1のネットワークノードに送信し、命令情報は、第1のSIを送信するように第1のネットワークノードに命令するために使用される。対応して、第1のネットワークノードは、第2のネットワークノードから命令情報を受信し、少なくとも1つのタイプのSI及び命令情報に基づいて、第1のSIを決定し、第1のSIを端末デバイスに送信する。
【０１３５】
第1のネットワークノードは、インタフェースメッセージを使用することにより第2のネットワークノードと通信することが理解されるべきである。したがって、端末デバイスから要求メッセージを受信した後に、第1のネットワークノードは、要求メッセージをインタフェースメッセージにカプセル化し、インタフェースメッセージを第2のネットワークノードに送信してもよい。
【０１３６】
この出願のこの実施形態において提供されるシステム情報送信方法によれば、RRCレイヤの機能が第2のネットワークノードに配置されるので、第1のネットワークノードは、要求メッセージを第2のネットワークノードに送信し、第2のネットワークノードは、要求メッセージを解析する。第2のネットワークノードは、少なくとも1つのタイプのSIを第1のネットワークノードに既に配信しており、したがって、解析を通じて要求メッセージが第1のSIを要求するために使用されることを習得した後に、第2のネットワークノードは、命令情報のみを第1のネットワークノードに送信し、第1のSIを送信するように第1のネットワークノードに命令する必要があり、言い換えると、第2のネットワークノードは、第1のSIを第1のネットワークノードに送信する必要はない。したがって、第1のネットワークノードと第2のネットワークノードとの間のインタフェースメッセージのオーバーヘッドもまた低減できる。
【０１３７】
任意選択で、方式1では、端末デバイスと第1のネットワークノードとの間に論理チャネルが新たに確立されてもよい。第1のネットワークノードが、論理チャネルに基づいて、要求メッセージがSIを要求するために使用される(具体的なタイプ又は具体的な複数のタイプのSIが決定できない)ことを決定した後に、端末デバイスは、方式2における方法を継続的に使用することにより、要求メッセージを第2のネットワークノードに送信し、第2のネットワークノードから命令情報を受信し、命令情報に基づいて第1のSIを端末デバイスに送信してもよい。
【０１３８】
この出願のこの実施形態において提供されるシステム情報送信方法によれば、第1のネットワークノードは、新たに確立された論理チャネルに基づいて、要求メッセージが第1のSIを要求するために使用されることを決定できないが、第1のネットワークノードは、論理チャネルに基づいて、要求メッセージがSIを要求するために使用されることを決定してもよい。この場合、既存のRRCメッセージ処理方法(例えば、送信レイヤアドレス割り当て)に基づいて要求メッセージを処理する代わりに、第1のネットワークノードは、要求メッセージを第2のネットワークノードに直接送信し、第2のネットワークノードは要求メッセージを解析し、それにより、送信アドレスの占有が低減でき、第1のネットワークノードの処理の複雑さが低減できる。
【０１３９】
任意選択で、S330において、第1のネットワークノードは、第1のSIをブロードキャストしてもよい。代替として、要求メッセージは端末デバイスの識別子を搬送し、第1のネットワークノードは、端末デバイスの識別子に基づいて、第1のSIを端末デバイスに送信する。これは、この出願のこの実施形態では限定されない。
【０１４０】
それぞれのタイプのSIの送信タイプに関する情報は変化してもよく、第2のネットワークノードは、それぞれのタイプのSIの実際の送信状態に基づいて、それぞれのタイプのSIの送信タイプを更新してもよいことが理解されるべきである。
【０１４１】
任意選択の実施形態では、第2のSIの送信タイプがon  demandであるとき、第2のネットワークノードは、第1の期間内に、第2のSIを要求する端末デバイス又は要求メッセージの数をカウントし、要求メッセージの数に基づいて第2のSIの送信タイプを更新してもよい。
【０１４２】
例えば、第1の期間内に第2のSIを要求する端末デバイス又は要求メッセージの数が第1の予め設定された値よりも大きい場合、第2のネットワークノードは、第2のSIの送信タイプをminimumに更新し、実際の送信状態に基づいて、送信タイプがminimumである第2のSIの送信周期、送信回数及び送信時刻のうち少なくとも1つを決定してもよい。
【０１４３】
任意選択の実施形態では、第3のSIの送信タイプがminimumであるとき、第2のネットワークノードは、開始サービスのタイプ又は開始サービスの数のような端末デバイスがサービスセル内でサービスを開始する状態に基づいて、或いは第2の期間内のセル負荷状態に基づいて、第3のSIの送信タイプを更新してもよい。
【０１４４】
例えば、第2の期間内にセル負荷が比較的高く、第3のSIに関連するサービス量が比較的小さく、第3のSIが周期的に送信される必要がない場合、第2のネットワークノードは、第3のSIの送信タイプをon  demandに更新してもよい。
【０１４５】
第2のSI又は第3のSIは、第2のネットワークノードにより生成されるSIであり、第2のネットワークノードによりSIの送信タイプを更新するための方法が、第2のSI及び第3のSIのみを例として使用することにより、上記の実施形態において記載されていることが理解されるべきである。これは、この出願のこの実施形態では限定されない。
【０１４６】
この出願のこの実施形態において提供されるシステム情報送信方法によれば、第2のネットワークノードは、実際の送信状態に基づいてSIの送信タイプを更新でき、それにより、SIが適切に送信でき、それにより、全体のSI送信性能を改善する。
【０１４７】
図４は、この出願の実施形態によるシステム情報送信方法400を示す。当該方法400は、図１又は図２に示す適用シナリオに適用されてもよい。しかし、この出願のこの実施形態は、これに限定されない。
【０１４８】
S410:少なくとも1つの端末デバイスは、複数の要求メッセージを第1のネットワークノードに送信し、複数の要求メッセージのそれぞれは、少なくとも1つのタイプのSIを要求するために使用される。対応して、第1のネットワークノードは、少なくとも1つの端末デバイスから複数の要求メッセージを受信する。
【０１４９】
任意選択で、複数の要求メッセージは、1つの端末デバイス又は複数の端末デバイスにより送信されてもよい。これは、この出願のこの実施形態では限定されない。
【０１５０】
複数の要求メッセージのそれぞれは、少なくとも1つのSIを要求するために使用されてもよく、少なくとも1つのSIは、異なるタイプのSIでもよいことが理解されるべきである。具体的には、それぞれの要求メッセージは、少なくとも1つのタイプのSIを要求するために使用されてもよい。複数の要求メッセージは、複数のSIを要求するために使用されてもよい。しかし、複数のSIは、1つ以上のタイプのSIでもよい。
【０１５１】
S420:第1のネットワークノードは、複数の要求メッセージに基づいて、第1のメッセージを第2のネットワークノードに送信し、第1のメッセージは、複数の要求メッセージのうち1つ以上を含む。対応して、第2のネットワークノードは、第1のネットワークノードから第1のメッセージを受信する。
【０１５２】
任意選択で、第1のネットワークノードは、複数の要求メッセージに基づいて、第1のメッセージを生成し、第1のメッセージを第2のネットワークノードに送信してもよい。
【０１５３】
第1のネットワークノードは、インタフェースメッセージを使用することにより第2のネットワークノードと通信することが理解されるべきである。したがって、端末デバイスから複数の要求メッセージを受信した後に、第1のネットワークノードは、要求メッセージをインタフェースメッセージ(すなわち、第1のメッセージ)にカプセル化し、インタフェースメッセージを第2のネットワークノードに送信してもよい。
【０１５４】
この出願のこの実施形態において提供されるシステム情報送信方法によれば、第1のネットワークノードが複数の要求メッセージを受信した後に、第1のネットワークノードは、インタフェースメッセージ(すなわち、第1のメッセージ)を使用することにより、複数の要求メッセージのうち1つ以上を第2のネットワークノードに送信してもよい。言い換えると、第1のネットワークノードが複数の要求メッセージのうち1つを受信する毎に、第1のネットワークノードは、インタフェースメッセージを使用することにより、要求メッセージを第2のネットワークノードに送信する必要はなく、それにより、シグナリングオーバーヘッドが低減できる。
【０１５５】
任意選択で、同じSIが複数の要求メッセージのうち少なくとも2つを使用することにより要求されるとき、第1のメッセージは、少なくとも2つの要求メッセージのうち1つのみを搬送する必要がある。
【０１５６】
例えば、複数の要求メッセージは、第1の要求メッセージ及び第2の要求メッセージを含み、第1の要求メッセージは、SI1及びSI2を要求するために使用され、第2の要求メッセージは、SI2及びSI3を要求するために使用され、それにより、第1のメッセージは、第1の要求メッセージ及び第2の要求メッセージを含む。
【０１５７】
他の例では、複数の要求メッセージは、第1の要求メッセージ及び第2の要求メッセージを含み、第1の要求メッセージは、SI1及びSI2を要求するために使用され、第2の要求メッセージもまた、SI1及びSI2を要求するためにも使用され、それにより、第のメッセージは、第1の要求メッセージ又は第2の要求メッセージを含む。
【０１５８】
この出願のこの実施形態において提供されるシステム情報送信方法によれば、第1のネットワークノードは、同じSIを要求するための少なくとも2つの要求メッセージに対して複合処理を実行してもよく、第1のメッセージは、少なくとも2つの要求メッセージのうち1つのみを含み、それにより、インタフェースメッセージのオーバーヘッドが更に低減できる。
【０１５９】
S430:第2のネットワークノードは、第1のメッセージに基づいて、要求された少なくとも1つのタイプのSIを第1のネットワークノードに送信する。対応して、第1のネットワークノードは、第2のネットワークノードから要求された少なくとも1つのタイプのSIを受信する。
【０１６０】
任意選択で、第2のネットワークノードは、第1のメッセージに基づいて、要求された少なくとも1つのタイプのSIを生成し、要求された少なくとも1つのタイプのSIを第1のネットワークノードに送信してもよい。
【０１６１】
任意選択で、第2のネットワークノードは、要求された少なくとも1つのタイプのSIに基づいて、第2のメッセージを生成し、第2のメッセージは、要求された少なくとも1つのタイプのSIを搬送し、第2のメッセージを第1のネットワークノードに送信してもよい。対応して、第1のネットワークノードは、第2のネットワークノードから第2のメッセージを受信する。
【０１６２】
この出願のこの実施形態において提供されるシステム情報送信方法によれば、第2のネットワークノードは、要求された少なくとも1つのタイプのSIをインタフェースメッセージ(すなわち、第2のメッセージ)にカプセル化し、インタフェースメッセージを第1のネットワークノードに送信し、それにより、インタフェースメッセージのオーバーヘッドが低減できる。
【０１６３】
異なる端末デバイスにより送信される要求メッセージを使用することにより要求されるSIのタイプは、部分的に或いは完全に重複してもよいことが理解されるべきである。したがって、第2のネットワークノードにより第1のネットワークノードに送信される、要求された少なくとも1つのタイプのSIは、複数の要求メッセージを使用することにより要求されたSIの一部又は全部でもよい。これは、この出願のこの実施形態では限定されない。
【０１６４】
具体的な実現プロセスにおいて、送信メカニズム、送信シナリオ等により制限されて、第2のネットワークノードは、複数の要求メッセージを使用することにより要求された全てのSIを第1のネットワークノードに送信できないことが更に理解されるべきである。
【０１６５】
S440:第1のネットワークノードは、要求された少なくとも1つのタイプのSIを端末デバイスに送信する。
【０１６６】
任意選択で、S430の前に、第1のネットワークノードは、第2のネットワークノードから少なくとも1つのタイプのSIのそれぞれの送信パラメータを受信してもよく、送信パラメータは、送信タイプ、送信時刻、送信周期及び送信回数のうち少なくとも1つを含む。S440は、第1のネットワークノードが、それぞれのタイプのSIの送信パラメータに基づいて、要求された少なくとも1つのタイプのSIを少なくとも1つの端末デバイスに送信することでもよい。
【０１６７】
この出願のこの実施形態において提供されるシステム情報送信方法によれば、第1のネットワークノードは、第2のネットワークノードから少なくとも1つのタイプのSIのそれぞれの送信パラメータを予め取得する。したがって、第1のSIを端末デバイスに送信するとき、第1のネットワークノードは、第1のSIの送信パラメータに基づいて、第1のSIを直接送信してもよく、それにより、第1のネットワークノードと第2のネットワークノードとの間のインタフェースメッセージのオーバーヘッドが低減できる。
【０１６８】
任意選択で、第1のネットワークノードは、要求された少なくとも1つのタイプのSIをブロードキャストしてもよい。代替として、第1のネットワークノードは、それぞれの要求メッセージで搬送される識別子に基づいて、少なくとも1つのタイプのSIを少なくとも1つの端末デバイスのそれぞれに送信してもよい。
【０１６９】
任意選択で、第1のネットワークノードによりそれぞれの端末デバイスに送信される少なくとも1つのタイプのSIは、それぞれの端末デバイスにより要求されたSIの一部又は全部でもよい。これは、この出願のこの実施形態では限定されない。
【０１７０】
図５は、この出願の実施形態によるシステム情報送信方法500を示す。当該方法500は、図１又は図２に示す適用シナリオに適用されてもよい。しかし、この出願のこの実施形態は、これに限定されない。
【０１７１】
S510:第2のネットワークノードは、少なくとも1つのタイプのSIを第1のネットワークノードに送信する。対応して、第1のネットワークノードは、第2のネットワークノードから少なくとも1つのタイプのSIを受信する。
【０１７２】
例えば、第1のネットワークノードは、第2のネットワークノードからSI1、SI2及びSI3を受信してもよい。
【０１７３】
S520:第2のネットワークノードは、少なくとも1つのタイプのSIのそれぞれの送信パラメータを第1のネットワークノードに送信する。対応して、第1のネットワークノードは、第2のネットワークノードから少なくとも1つのタイプのSIのそれぞれの送信パラメータを受信する。
【０１７４】
例えば、第1のネットワークノードは、第2のネットワークノードからSI1の送信パラメータ、SI2の送信パラメータ及びSI3の送信パラメータを受信してもよい。
【０１７５】
任意選択で、S510及びS520は同時に実行されてもよく、或いは、別々に実行されてもよい。S510及びS520が別々に実行されるとき、実行順序は存在しなくてもよい。これは、この出願のこの実施形態では限定されない。
【０１７６】
S530:端末デバイスは、要求メッセージを第1のネットワークノードに送信し、要求メッセージは第1のSIを要求するために使用される。対応して、第1のネットワークノードは、端末デバイスから要求メッセージを受信する。
【０１７７】
例えば、第1のネットワークノードは、端末デバイスから要求メッセージを受信してもよく、要求メッセージはSI1を要求するために使用される。
【０１７８】
任意選択で、要求メッセージがRRCメッセージであり、RRCレイヤが第1のネットワークノードに配置されないとき、要求メッセージは、図３における方式1及び方式2を使用することにより解析されてもよい。繰り返しを回避するために、詳細は、ここでは再び説明しない。
【０１７９】
S540:第1のネットワークノードは、要求メッセージに基づいて、第1のSIを端末デバイスに送信する。対応して、端末デバイスは、第1のネットワークノードから第1のSIを受信する。
【０１８０】
例えば、第1のネットワークノードは、要求メッセージに基づいて、SI1を端末デバイスに送信する。
【０１８１】
図６は、この出願の実施形態によるシステム情報送信方法600を示す。当該方法500は、図１又は図２に示す適用シナリオに適用されてもよい。しかし、この出願のこの実施形態は、これに限定されない。
【０１８２】
S610:第1端末デバイスは、第1の要求メッセージを第1のネットワークノードに送信し、第1の要求メッセージは、少なくとも1つのタイプのSIを要求するために使用される。対応して、第1のネットワークノードは、第1の端末デバイスから第1の要求メッセージを受信する。
【０１８３】
S620:第2の端末デバイスは、第2の要求メッセージを第1のネットワークノードに送信し、第2の要求メッセージは、少なくとも1つのタイプのSIを要求するために使用される。対応して、第1のネットワークノードは、第2の端末デバイスから第2の要求メッセージを受信する。
【０１８４】
任意選択で、第1の端末デバイス及び第2の端末デバイスは異なる端末デバイスでもよく、或いは、同じ端末デバイスでもよく、具体的には、第1の端末デバイス又は第2の端末デバイスは、第1の要求メッセージ及び第2の要求メッセージを送信する。
【０１８５】
任意選択で、S610及びS620は同時に実行されてもよく、或いは、別々に実行されてもよい。S610及びS620が別々に実行されるとき、実行順序は存在しなくてもよい。これは、この出願のこの実施形態では限定されない。
【０１８６】
S630:第1のネットワークノードは、第1の要求メッセージ及び第2の要求メッセージに基づいて、第1のメッセージを第2のネットワークノードに送信し、第1のメッセージは、第1の要求メッセージ及び/又は第2の要求メッセージを含む。対応して、第2のネットワークノードは、第1のネットワークノードから第1のメッセージを受信する。
【０１８７】
例えば、第1の要求メッセージは、SI1及びSI2を要求するために使用され、第2の要求メッセージは、SI2及びSI3を要求するために使用され、それにより、第1のメッセージは、第1の要求メッセージ及び第2の要求メッセージを含む。
【０１８８】
他の例では、第1の要求メッセージは、SI1及びSI2を要求するために使用され、第2の要求メッセージもまた、SI1及びSI2を要求するためにも使用され、それにより、第のメッセージは、第1の要求メッセージ又は第2の要求メッセージを含む。
【０１８９】
S640:第2のネットワークノードは、第1のメッセージに基づいて、第2のメッセージを第1のネットワークノードに送信し、第2のメッセージは、要求された少なくとも1つのタイプのSIを搬送する。対応して、第1のネットワークノードは、第2のネットワークノードから第2のメッセージを受信する。
【０１９０】
例えば、第1の要求メッセージはSI1及びSI2を要求するために使用され、第2の要求メッセージはSI2及びSI3を要求するために使用され、それにより、第2のメッセージは、SI1、SI2及びSI3のうち少なくとも1つを搬送してもよい。これは、この出願のこの実施形態では限定されない。
【０１９１】
S650:第2のネットワークノードは、第1のメッセージに基づいて、第3のメッセージを第1のネットワークノードに送信し、第3のメッセージは、要求された少なくとも1つのタイプのSIのそれぞれの送信パラメータを搬送する。対応して、第1のネットワークノードは、第2のネットワークノードから第3のメッセージを受信する。
【０１９２】
S660:第1のネットワークノードは、第3のメッセージに基づいて、第1の端末デバイスにより要求された少なくとも1つのタイプのSIを第1の端末デバイスに送信する。対応して、第1の端末デバイスは、第1のネットワークノードから第1の端末デバイスにより要求された少なくとも1つのタイプのSIを受信する。
【０１９３】
S670:第1のネットワークノードは、第3のメッセージに基づいて、第2の端末デバイスにより要求された少なくとも1つのタイプのSIを第2の端末デバイスに送信する。対応して、第2の端末デバイスは、第1のネットワークノードから第2の端末デバイスにより要求された少なくとも1つのタイプのSIを受信する。
【０１９４】
S640において、要求された少なくとも1つのタイプのSIは、第1の端末デバイスにより要求された少なくとも1つのタイプのSI又は第2の端末デバイスにより要求された少なくとも1つのタイプのSIを含むことが理解されるべきである。
【０１９５】
任意選択で、S660及びS670は1つのステップでもよく、具体的には、第1のネットワークノードは、第3のメッセージに基づいて、要求された少なくとも1つのタイプのSIをブロードキャストする。
【０１９６】
例えば、第1の要求メッセージはSI1及びSI2を要求するために使用され、第2の要求メッセージはSI2及びSI3を要求するために使用され、それにより、第1のネットワークノードは、SI1、SI2及びSI3のうち少なくとも1つをブロードキャストでき、或いは、第1のネットワークノードは、SI1及びSI2のうち少なくとも1つを第1の端末デバイスに送信でき、SI2及びSI3のうち少なくとも1つを第2の端末デバイスに送信する。
【０１９７】
この出願の実施形態において提供されるシステム情報送信方法について、図１〜図６を参照して上記に詳細に記載されており、この出願の実施形態において提供されるシステム情報送信装置について、図７〜図１４を参照して以下に説明する。
【０１９８】
図７は、この出願の実施形態によるシステム情報送信装置700を示す。当該装置700は、
第2のネットワークノードから少なくとも1つのタイプのシステム情報SIを受信し、少なくとも1つのタイプのSIは第1のSIを含み、端末デバイスから要求メッセージを受信し、要求メッセージは第1のSIを要求するために使用される、ように構成された受信ユニット710と、
受信ユニット710により受信された要求メッセージ及び少なくとも1つのタイプのSIに基づいて、第1のSIを端末デバイスに送信するように構成された送信ユニット720と
を含む。
【０１９９】
任意選択で、当該装置は処理ユニット730を更に含み、処理ユニットは、要求メッセージ及び少なくとも1つのタイプのSIに基づいて、第1のSIを決定するように構成され、送信ユニットは、第1のSIを端末デバイスに送信するように構成される。
【０２００】
任意選択で、要求メッセージはRRCメッセージであり、受信ユニットは、第1のチャネルを通じて端末デバイスから要求メッセージを受信するように具体的に構成され、処理ユニットは、第1のチャネル及び予め設定されたマッピング関係に基づいて、要求メッセージが第1のSIを要求するために使用されることを決定するように更に構成され、マッピング関係は、第1のチャネルと第1のSIとの間の対応関係を含む。
【０２０１】
任意選択で、受信ユニットは、第2のネットワークノードから少なくとも1つのタイプのSIのそれぞれの送信パラメータを受信するように更に構成され、送信パラメータは、送信タイプ、送信時刻、送信周期及び送信回数のうち少なくとも1つを含み、処理ユニットは、要求メッセージ、少なくとも1つのタイプのSI及び少なくとも1つのタイプのSIのそれぞれの送信パラメータに基づいて、第1のSI及び第1のSIの送信パラメータを決定するように更に構成され、送信ユニットは、第1のSIの送信パラメータに基づいて、第1のSIを端末デバイスに送信するように具体的に構成される。
【０２０２】
任意選択で、送信ユニットは、要求メッセージを第2のネットワークノードに送信するように更に構成され、受信ユニットは、第2のネットワークノードから命令情報を受信するように更に構成され、処理ユニットは、少なくとも1つのタイプのSI及び命令情報に基づいて、第1のSIを決定するように更に構成され、送信ユニットは、第1のSIを端末デバイスに送信するように更に構成される。
【０２０３】
ここでの装置700は、機能ユニットの形式で表されることが理解されるべきである。ここでの「ユニット」は、特定用途向け集積回路(application  specific  integrated  circuit,  ASIC)、電子回路、1つ以上のソフトウェア若しくはファームウェアプログラムを実行するためのプロセッサ(例えば、共有プロセッサ、独自仕様プロセッサ又はパケットプロセッサ)及びメモリ、組み合わせ論理回路、及び/又は記載の機能をサポートする他の適切なコンポーネントでもよい。任意選択の例では、当業者は、装置700が、具体的には、方法300〜方法600の上記の実施形態における第1のネットワークノードでもよく、装置700が方法300〜方法600の上記の実施形態における第1のネットワークノードに対応する手順及び/又はステップを実行するように構成されてもよいことを理解し得る。繰り返しを回避するために、詳細は、ここでは再び説明しない。
【０２０４】
図８は、この出願の実施形態によるシステム情報送信装置800を示す。当該装置800は、
少なくとも1つのタイプのシステム情報SIを生成するように構成された処理ユニット810であり、少なくとも1つのタイプのSIは第1のSIを含む、処理ユニット810と、
第1のネットワークノードが端末デバイスにより送信され且つ第1のSIを要求するために使用される要求メッセージを受信する前に、処理ユニット810により生成された少なくとも1つのタイプのSIを第1のネットワークノードに送信するように構成された送信ユニット820と
を含む。
【０２０５】
任意選択で、送信ユニットは、少なくとも1つのタイプのSIのそれぞれの送信パラメータを第1のネットワークノードに送信するように更に構成され、送信パラメータは、送信タイプ、送信時刻、送信周期及び送信回数のうち少なくとも1つを含む。
【０２０６】
任意選択で、当該装置は受信ユニット830を更に含み、受信ユニットは、第1のネットワークノードにより送信された要求メッセージを受信するように構成され、送信ユニットは、要求メッセージに基づいて、命令情報を第1のネットワークノードに送信するように更に構成され、命令情報は、第1のSIを送信するように第1のネットワークノードに命令するために使用される。
【０２０７】
ここでの装置800は、機能ユニットの形式で表されることが理解されるべきである。ここでの「ユニット」は、ASIC、電子回路、1つ以上のソフトウェア若しくはファームウェアプログラムを実行するためのプロセッサ(例えば、共有プロセッサ、独自仕様プロセッサ又はパケットプロセッサ)及びメモリ、組み合わせ論理回路、及び/又は記載の機能をサポートする他の適切なコンポーネントでもよい。任意選択の例では、当業者は、装置800が、具体的には、方法300〜方法600の上記の実施形態における第2のネットワークノードでもよく、装置800が方法300〜方法600の上記の実施形態における第2のネットワークノードに対応する手順及び/又はステップを実行するように構成されてもよいことを理解し得る。繰り返しを回避するために、詳細は、ここでは再び説明しない。
【０２０８】
図９は、この出願の実施形態によるシステム情報送信装置900を示す。当該装置900は、
少なくとも1つの端末デバイスから複数の要求メッセージを受信するように構成された受信ユニット910であり、複数の要求メッセージのそれぞれは、少なくとも1つのタイプのシステム情報SIを要求するために使用される、受信ユニット910と、
受信ユニット910により受信された複数の要求メッセージに基づいて、第1のメッセージを第2のネットワークノードに送信するように構成された送信ユニット920であり、第1のメッセージは、複数の要求メッセージのうち1つ以上を含む、送信ユニット920と
を含み、
受信ユニット910は、第2のネットワークノードから要求された少なくとも1つのタイプのSIを受信するように更に構成され、
送信ユニット920は、受信ユニットにより受信された、要求された少なくとも1つのタイプのSIを少なくとも1つの端末デバイスに送信するように更に構成される。
【０２０９】
任意選択で、当該装置は処理ユニット930を更に含み、処理ユニットは、複数の要求メッセージに基づいて、第1のメッセージを生成するように構成され、送信ユニットは、第1のメッセージを第2のネットワークノードに送信するように構成される。
【０２１０】
任意選択で、同じSIが複数の要求メッセージのうち少なくとも2つを使用することにより要求されるとき、第1のメッセージは、少なくとも2つの要求メッセージのうち1つのみを含む。
【０２１１】
任意選択で、受信ユニットは、第2のネットワークノードから少なくとも1つのタイプのSIのそれぞれの送信パラメータを受信するように更に構成され、送信パラメータは、送信タイプ、送信時刻、送信周期及び送信回数のうち少なくとも1つを含み、送信ユニットは、それぞれのタイプのSIの送信パラメータに基づいて、要求された少なくとも1つのタイプのSIを少なくとも1つの端末デバイスに送信するように具体的に構成される。
【０２１２】
任意選択で、受信ユニットは、第2のネットワークノードから第2のメッセージを受信するように具体的に構成され、第2のメッセージは、要求された少なくとも1つのタイプのSIを搬送する。
【０２１３】
ここでの装置900は、機能ユニットの形式で表されることが理解されるべきである。ここでの「ユニット」は、ASIC、電子回路、1つ以上のソフトウェア若しくはファームウェアプログラムを実行するためのプロセッサ(例えば、共有プロセッサ、独自仕様プロセッサ又はパケットプロセッサ)及びメモリ、組み合わせ論理回路、及び/又は記載の機能をサポートする他の適切なコンポーネントでもよい。任意選択の例では、当業者は、装置900が、具体的には、方法300〜方法600の上記の実施形態における第1のネットワークノードでもよく、装置900が方法300〜方法600の上記の実施形態における第1のネットワークノードに対応する手順及び/又はステップを実行するように構成されてもよいことを理解し得る。繰り返しを回避するために、詳細は、ここでは再び説明しない。
【０２１４】
図１０は、この出願の実施形態によるシステム情報送信装置1000を示す。当該装置1000は、
第1のネットワークノードから第1のメッセージを受信するように構成された受信ユニット1010であり、第1のメッセージは1つ以上の要求メッセージを含み、1つ以上の要求メッセージのそれぞれは、少なくとも1つのタイプのシステム情報SIを要求するために使用される、受信ユニット1010と、
受信ユニットにより受信された第1のメッセージに基づいて、要求された少なくとも1つのタイプのSIを第1のネットワークノードに送信するように構成された送信ユニット1020と
を含む。
【０２１５】
任意選択で、当該装置は処理ユニット1030を更に含み、処理ユニットは、第1のメッセージに基づいて、要求された少なくとも1つのタイプのSIを生成するように構成され、送信ユニットは、要求された少なくとも1つのタイプのSIを第1のネットワークノードに送信するように更に構成される。
【０２１６】
任意選択で、処理ユニットは、要求された少なくとも1つのタイプのSIに基づいて、第2のメッセージを生成するように更に構成され、第2のメッセージは、要求された少なくとも1つのタイプのSIを搬送し、送信ユニットは、第2のメッセージを第1のネットワークノードに送信するように構成される。
【０２１７】
任意選択で、送信ユニットは、要求された少なくとも1つのタイプのSIのそれぞれの送信パラメータを第1のネットワークノードに送信するように更に構成され、送信パラメータは、送信タイプ、送信時刻、送信周期及び送信回数のうち少なくとも1つを含む。
【０２１８】
ここでの装置1000は、機能ユニットの形式で表されることが理解されるべきである。ここでの「ユニット」は、ASIC、電子回路、1つ以上のソフトウェア若しくはファームウェアプログラムを実行するためのプロセッサ(例えば、共有プロセッサ、独自仕様プロセッサ又はパケットプロセッサ)及びメモリ、組み合わせ論理回路、及び/又は記載の機能をサポートする他の適切なコンポーネントでもよい。任意選択の例では、当業者は、装置1000が、具体的には、方法300〜方法600の上記の実施形態における第2のネットワークノードでもよく、装置1000が方法300〜方法600の上記の実施形態における第2のネットワークノードに対応する手順及び/又はステップを実行するように構成されてもよいことを理解し得る。繰り返しを回避するために、詳細は、ここでは再び説明しない。
【０２１９】
図１１は、この出願の実施形態によるシステム情報送信装置1100を示す。当該装置1100は、図１に示す第1のネットワークノード又は図２に示すDU(まとめて第1のネットワークノードと呼ばれる)でもよく、図１１に示すハードウェアアーキテクチャは、第1のネットワークノードにおいて使用されてもよい。第1のネットワークノードは、プロセッサ1110と、トランシーバ1120と、メモリ1130とを含んでもよい。プロセッサ1110、トランシーバ1120及びメモリ1130は、内部接続経路を使用することにより互いに通信する。図７における処理ユニット730により実現される関連する機能は、プロセッサ1110により実現されてもよく、受信ユニット710及び送信ユニット720により実現される関連する機能は、トランシーバ1120を制御することによりプロセッサ1110により実現されてもよい。
【０２２０】
プロセッサ1110は、1つ以上のプロセッサ、例えば、1つ以上の中央処理装置(central  processing  unit,  CPU)を含んでもよい。プロセッサがCPUであるとき、CPUはシングルコアCPUでもよく、或いは、マルチコアCPUでもよい。
【０２２１】
トランシーバ1120は、データ及び/又は信号を送信及び受信するように構成される。トランシーバは、送信機及び受信機を含んでもよく、送信機は、データ及び/又は信号を送信するように構成され、受信機は、データ及び/又は信号を受信するように構成される。
【０２２２】
メモリ1130は、ランダムアクセスメモリ(random  access  memory,  RAM)、読み取り専用メモリ(read-only  memory,  ROM)、消去可能プログラム可能読み取り専用メモリ(erasable  programmable  read  only  memory,  EPROM)及びコンパクトディスク読み取り専用メモリ(compact  disc  read-only  memory,  CD-ROM)を含むが、これらに限定されない。メモリ1130は、関連する命令及び関連するデータを記憶するように構成される。
【０２２３】
メモリ1130は、第1のネットワークノードのプログラムコード及びデータを記憶するように構成される。メモリ1130は、独立したコンポーネントでもよく、或いは、プロセッサ1110に統合されてもよい。
【０２２４】
具体的には、プロセッサ1110は、端末デバイス及び/又は第2のネットワークノードと通信するようにトランシーバを制御するように構成される。詳細については、方法の実施形態における説明を参照する。詳細は、ここでは再び説明しない。
【０２２５】
図１１は、単に第1のネットワークノードの簡略化された設計を示すにすぎないことが理解され得る。実際の用途では、第1のネットワークノードは、いずれかの数のトランシーバ、プロセッサ、コントローラ、メモリ等を含むが、これらに限定されない他の必要な要素を更に含んでもよい。この出願を実現できる全ての第1のネットワークノードは、この出願の保護範囲に入る。
【０２２６】
可能な設計では、装置1100は、チップ、例えば、第1のネットワークノードにおいて使用でき且つ第1のネットワークノードにおけるプロセッサ1110の関連する機能を実現するように構成された通信チップでもよい。チップは、関連する機能を実現できるフィールドプログラマブルゲートアレイ、特定用途向け集積チップ、システムチップ、中央処理装置、ネットワークプロセッサ、デジタル信号処理回路又はマイクロコントローラでもよく、或いは、プログラム可能コントローラ又は他の集積チップでもよい。任意選択で、チップは、プログラムコードを記憶するように構成された1つ以上のメモリを含んでもよく、コードが実行されたおき、プロセッサは、対応する機能を実現することが可能になる。
【０２２７】
図１２は、この出願の実施形態によるシステム情報送信装置1200を示す。当該装置1200は、図１に示す第2のネットワークノード又は図２に示すCU(まとめて第2のネットワークノードと呼ばれる)でもよく、図１２に示すハードウェアアーキテクチャは、第2のネットワークノードにおいて使用されてもよい。第2のネットワークノードは、プロセッサ1210と、トランシーバ1220と、メモリ1230とを含んでもよい。プロセッサ1210、トランシーバ1220及びメモリ1230は、内部接続経路を使用することにより互いに通信する。図８における処理ユニット810により実現される関連する機能は、プロセッサ1210により実現されてもよく、送信ユニット820及び受信ユニット830により実現される関連する機能は、トランシーバ1220を制御することによりプロセッサ1210により実現されてもよい。
【０２２８】
プロセッサ1210は、1つ以上のプロセッサ、例えば、1つ以上のCPUを含んでもよい。プロセッサがCPUであるとき、CPUはシングルコアCPUでもよく、或いは、マルチコアCPUでもよい。
【０２２９】
トランシーバ1220は、データ及び/又は信号を送信及び受信するように構成される。トランシーバは、送信機及び受信機を含んでもよく、送信機は、データ及び/又は信号を送信するように構成され、受信機は、データ及び/又は信号を受信するように構成される。
【０２３０】
メモリ1230は、RAM、ROM、EPROM及びCD-ROMを含むが、これらに限定されない。メモリ1230は、関連する命令及び関連するデータを記憶するように構成される。
【０２３１】
メモリ1230は、第2のネットワークノードのプログラムコード及びデータを記憶するように構成される。メモリ1230は、独立したコンポーネントでもよく、或いは、プロセッサ1210に統合されてもよい。
【０２３２】
具体的には、プロセッサ1210は、端末デバイス及び/又は第2のネットワークノードと通信するようにトランシーバを制御するように構成される。詳細については、方法の実施形態における説明を参照する。詳細は、ここでは再び説明しない。
【０２３３】
図１２は、単に第2のネットワークノードの簡略化された設計を示すにすぎないことが理解され得る。実際の用途では、第2のネットワークノードは、いずれかの数のトランシーバ、プロセッサ、コントローラ、メモリ等を含むが、これらに限定されない他の必要な要素を更に含んでもよい。この出願を実現できる全ての第2のネットワークノードは、この出願の保護範囲に入る。
【０２３４】
可能な設計では、装置1200は、チップ、例えば、第2のネットワークノードにおいて使用でき且つ第2のネットワークノードにおけるプロセッサ1210の関連する機能を実現するように構成された通信チップでもよい。チップは、関連する機能を実現できるフィールドプログラマブルゲートアレイ、特定用途向け集積チップ、システムチップ、中央処理装置、ネットワークプロセッサ、デジタル信号処理回路又はマイクロコントローラでもよく、或いは、プログラム可能コントローラ又は他の集積チップでもよい。任意選択で、チップは、プログラムコードを記憶するように構成された1つ以上のメモリを含んでもよく、コードが実行されたおき、プロセッサは、対応する機能を実現することが可能になる。
【０２３５】
図１３は、この出願の実施形態によるシステム情報送信装置1300を示す。当該装置1300は、図１に示す第1のネットワークノード又は図２に示すDU(まとめて第1のネットワークノードと呼ばれる)でもよく、図１３に示すハードウェアアーキテクチャは、第1のネットワークノードにおいて使用されてもよい。第1のネットワークノードは、プロセッサ1310と、トランシーバ1320と、メモリ1330とを含んでもよい。プロセッサ1310、トランシーバ1320及びメモリ1330は、内部接続経路を使用することにより互いに通信する。図９における処理ユニット910により実現される関連する機能は、プロセッサ1310により実現されてもよく、受信ユニット910及び送信ユニット920により実現される関連する機能は、トランシーバ1320を制御することによりプロセッサ1310により実現されてもよい。
【０２３６】
プロセッサ1310は、1つ以上のプロセッサ、例えば、1つ以上のCPUを含んでもよい。プロセッサがCPUであるとき、CPUはシングルコアCPUでもよく、或いは、マルチコアCPUでもよい。
【０２３７】
トランシーバ1320は、データ及び/又は信号を送信及び受信するように構成される。トランシーバは、送信機及び受信機を含んでもよく、送信機は、データ及び/又は信号を送信するように構成され、受信機は、データ及び/又は信号を受信するように構成される。
【０２３８】
メモリ1330は、RAM、ROM、EPROM及びCD-ROMを含むが、これらに限定されない。メモリ1330は、関連する命令及び関連するデータを記憶するように構成される。
【０２３９】
メモリ1330は、第1のネットワークノードのプログラムコード及びデータを記憶するように構成される。メモリ1330は、独立したコンポーネントでもよく、或いは、プロセッサ1310に統合されてもよい。
【０２４０】
具体的には、プロセッサ1310は、端末デバイス及び/又は第2のネットワークノードと通信するようにトランシーバを制御するように構成される。詳細については、方法の実施形態における説明を参照する。詳細は、ここでは再び説明しない。
【０２４１】
図１３は、単に第1のネットワークノードの簡略化された設計を示すにすぎないことが理解され得る。実際の用途では、第1のネットワークノードは、いずれかの数のトランシーバ、プロセッサ、コントローラ、メモリ等を含むが、これらに限定されない他の必要な要素を更に含んでもよい。この出願を実現できる全ての第1のネットワークノードは、この出願の保護範囲に入る。
【０２４２】
可能な設計では、装置1300は、チップ、例えば、第1のネットワークノードにおいて使用でき且つ第1のネットワークノードにおけるプロセッサ1310の関連する機能を実現するように構成された通信チップでもよい。チップは、関連する機能を実現できるフィールドプログラマブルゲートアレイ、特定用途向け集積チップ、システムチップ、中央処理装置、ネットワークプロセッサ、デジタル信号処理回路又はマイクロコントローラでもよく、或いは、プログラム可能コントローラ又は他の集積チップでもよい。任意選択で、チップは、プログラムコードを記憶するように構成された1つ以上のメモリを含んでもよく、コードが実行されたおき、プロセッサは、対応する機能を実現することが可能になる。
【０２４３】
図１４は、この出願の実施形態によるシステム情報送信装置1400を示す。当該装置1400は、図１に示す第2のネットワークノード又は図２に示すCU(まとめて第2のネットワークノードと呼ばれる)でもよく、図１４に示すハードウェアアーキテクチャは、第2のネットワークノードにおいて使用されてもよい。第2のネットワークノードは、プロセッサ1410と、トランシーバ1420と、メモリ1430とを含んでもよい。プロセッサ1410、トランシーバ1420及びメモリ1430は、内部接続経路を使用することにより互いに通信する。図１０における処理ユニット1030により実現される関連する機能は、プロセッサ1410により実現されてもよく、受信ユニット1010及び送信ユニット1020により実現される関連する機能は、トランシーバ1420を制御することによりプロセッサ1410により実現されてもよい。
【０２４４】
プロセッサ1410は、1つ以上のプロセッサ、例えば、1つ以上のCPUを含んでもよい。プロセッサがCPUであるとき、CPUはシングルコアCPUでもよく、或いは、マルチコアCPUでもよい。
【０２４５】
トランシーバ1420は、データ及び/又は信号を送信及び受信するように構成される。トランシーバは、送信機及び受信機を含んでもよく、送信機は、データ及び/又は信号を送信するように構成され、受信機は、データ及び/又は信号を受信するように構成される。
【０２４６】
メモリ1430は、RAM、ROM、EPROM及びCD-ROMを含むが、これらに限定されない。メモリ1430は、関連する命令及び関連するデータを記憶するように構成される。
【０２４７】
メモリ1430は、第2のネットワークノードのプログラムコード及びデータを記憶するように構成される。メモリ1430は、独立したコンポーネントでもよく、或いは、プロセッサ1410に統合されてもよい。
【０２４８】
具体的には、プロセッサ1410は、端末デバイス及び/又は第2のネットワークノードと通信するようにトランシーバを制御するように構成される。詳細については、方法の実施形態における説明を参照する。詳細は、ここでは再び説明しない。
【０２４９】
図１４は、単に第2のネットワークノードの簡略化された設計を示すにすぎないことが理解され得る。実際の用途では、第2のネットワークノードは、いずれかの数のトランシーバ、プロセッサ、コントローラ、メモリ等を含むが、これらに限定されない他の必要な要素を更に含んでもよい。この出願を実現できる全ての第2のネットワークノードは、この出願の保護範囲に入る。
【０２５０】
可能な設計では、装置1400は、チップ、例えば、第2のネットワークノードにおいて使用でき且つ第2のネットワークノードにおけるプロセッサ1410の関連する機能を実現するように構成された通信チップでもよい。チップは、関連する機能を実現できるフィールドプログラマブルゲートアレイ、特定用途向け集積チップ、システムチップ、中央処理装置、ネットワークプロセッサ、デジタル信号処理回路又はマイクロコントローラでもよく、或いは、プログラム可能コントローラ又は他の集積チップでもよい。任意選択で、チップは、プログラムコードを記憶するように構成された1つ以上のメモリを含んでもよく、コードが実行されたおき、プロセッサは、対応する機能を実現することが可能になる。
【０２５１】
上記の実施形態の全部又は一部は、ソフトウェア、ハードウェア、ファームウェア又はこれらのいずれかの組み合わせを使用することにより実現されてもよい。ソフトウェアが実施形態を実現するために使用されるとき、実施形態は、コンピュータプログラムプロダクトの形式で完全に或いは部分的に実現されてもよい。コンピュータプログラムプロダクトは、1つ以上のコンピュータ命令を含む。コンピュータプログラム命令がコンピュータ上にロードされて実行されたとき、本発明の実施形態による手順又は機能が全て或いは部分的に生成される。コンピュータは、汎用コンピュータ、専用コンピュータ、コンピュータネットワーク又は他のプログラム可能装置でもよい。コンピュータ命令は、コンピュータ読み取り可能記憶媒体に記憶されてもよく、或いは、コンピュータ読み取り可能記憶媒体を使用することにより送信されてもよい。コンピュータ命令は、有線(例えば、同軸ケーブル、光ファイバ又はデジタル加入者線(digital  subscriber  line,  DSL))又は無線(例えば、赤外線、無線、又はマイクロ波)方式で、ウェブサイト、コンピュータ、サーバ又はデータセンタから、他のウェブサイト、コンピュータ、サーバ又はデータセンタに送信されてもよい。コンピュータ読み取り可能記憶媒体は、コンピュータによりアクセス可能ないずれかの使用可能媒体、又は1つ以上の使用可能媒体を含むサーバ又はデータセンタのようなデータ記憶デバイスでもよい。使用可能媒体は、磁気媒体(例えば、フロッピーディスク、ハードディスク又は磁気テープ)、光媒体(例えば、デジタル多用途ディスク(digital  versatile  disc,  DVD))、半導体媒体(例えば、SSD)等でもよい。
【０２５２】
当業者は、実施形態における方法のプロセスの全部又は一部が、関連するハードウェアに命令するコンピュータプログラムにより実現されてもよいことを理解し得る。プログラムは、コンピュータ読み取り可能記憶媒体に記憶されてもよい。プログラムが実行されたとき、上記の方法の実施形態のプロセスが実行される。上記の記憶媒体は、ROM、RAM、磁気ディスク又は光ディスクのようなプログラムコードを記憶できるいずれかの媒体を含む。
【０２５３】
当業者は、この明細書に開示された実施形態を参照して記載されたユニット及びアルゴリズムの例は、電子ハードウェア又はコンピュータソフトウェアと電子ハードウェアとの組み合わせを使用することにより実現できることを認識し得る。機能がハードウェアを使用することにより実行されるかソフトウェアを使用することにより実行されるかは、技術的解決策の特定の用途及び設計制約条件に依存する。当業者は、特定の用途ごとに、記載の機能を実現するために異なる方法を使用し得るが、実現方式がこの出願の範囲を超えるものであると考えられるべきではない。
【０２５４】
当業者は、便宜上且つ簡単な説明の目的で、上記のシステム、装置及びユニットの詳細な動作プロセスについては、上記の方法の実施形態における対応するプロセスを参照し、詳細はここでは再び説明しないことを明確に理解し得る。
【０２５５】
この出願において提供されるいくつかの実施形態では、開示のシステム、装置及び方法は、他の方式で実現されてもよいことが理解されるべきである。例えば、記載の装置の実施形態は単なる例である。例えば、ユニット分割は、単なる論理的な機能分割であり、実際の実現方式では他の分割でもよい。例えば、複数のユニット又はコンポーネントは組み合わされてもよく或いは他のシステムに統合されてもよく、或いは、いくつかの機能は無視されてもよく或いは実行されなくてもよい。さらに、表示又は議論された相互結合又は直接結合又は通信接続は、いくつかのインタフェースを使用することにより実現されてもよい。装置又はユニットの間の間接結合又は通信接続は、電子的、機械的又は他の形式で実現されてもよい。
【０２５６】
別々の部分として記載されるユニットは、物理的に分離されてもよく或いは分離されなくてもよく、ユニットとして表示される部分は、物理的ユニットでもよく或いは物理的ユニットでなくてもよく、1つの位置に位置してもよく、或いは、複数のネットワークユニットに分散されてもよい。ユニットの一部又は全部は、実施形態の解決策の目的を達成するために、実際の要件に基づいて選択されてもよい。
【０２５７】
さらに、この出願の実施形態における機能ユニットは、1つの処理ユニットに統合されてもよく、或いは、ユニットのそれぞれは、物理的に単独で存在してもよく、或いは、2つ以上のユニットが1つのユニットに統合されてもよい。
【０２５８】
機能がソフトウェア機能ユニットの形式で実現され、独立したプロダクトとして販売又は使用されるとき、機能は、コンピュータ読み取り可能記憶媒体に記憶されてもよい。このような理解に基づいて、この出願の技術的解決策は本質的に、或いは従来技術に寄与する部分又は技術的解決策のいくつかは、ソフトウェアプロダクトの形式で実現されてもよい。コンピュータソフトウェアプロダクトは、記憶媒体に記憶され、この出願の実施形態に記載の方法のステップの全部又は一部を実行するように、コンピュータデバイス(パーソナルコンピュータ、サーバ又はネットワークデバイスでもよい)に命令するためのいくつかの命令を含む。上記の記憶媒体は、USBフラッシュドライブ、取り外し可能ハードディスク、ROM、RAM、磁気ディスク又は光ディスクのようなプログラムコードを記憶できるいずれかの媒体を含む。
【０２５９】
上記の説明は、この出願の単なる具体的な実現方式にすぎず、この出願の保護範囲を限定することを意図するものではない。この出願に開示された技術的範囲内で当業者により容易に理解される如何なる変更又は置換も、この出願の保護範囲に入るものとする。したがって、この出願の保護範囲は、特許請求の範囲の保護範囲に従うものとする。
【図１】
0006929444.tif 000002
【図２】
0006929444.tif 000003
【図３】
0006929444.tif 000004
【図４】
0006929444.tif 000005
【図５】
0006929444.tif 000006
【図６】
0006929444.tif 000007
【図７】
0006929444.tif 000008
【図８】
0006929444.tif 000009
【図９】
0006929444.tif 000010
【図１０】
0006929444.tif 000011
【図１１】
0006929444.tif 000012
【図１２】
0006929444.tif 000013
【図１３】
0006929444.tif 000014
【図１４】
0006929444.tif 000015